(57)【要約】【課題】変動表示装置を有する弾球遊技機において、変動表示装置に表示画面の周囲で演出動作する可動演出部材を効率的に発光させ、演出効果を高める。【解決手段】弾球遊技機は、表示画面４ｇを有する表示装置本体４ａとその前面側に演出装置４０を有する前面構成部材とを有する変動表示装置を備える。演出装置４０は、演出動作を行う可動演出部材４１と、可動演出部材４１の背面で可動演出部材４１を支持するとともに背景となる背面部材４２とを備える。背面部材４２の裏には、可動演出部材４１を発光させる複数のＬＥＤ５１を搭載した基板４３を備える。基板４３の裏には、可動演出部材４１の動作の駆動源となるソレノイド４４を裏面に備えたカバー部材４５を備える。ソレノイド４４からの駆動力を可動演出部材４１に伝動する伝動ピン５３が、カバー部材４５、基板４３を貫通してリンク機構を介して可動演出部材４１に接続されている。【選択図】        図８
2004261426.tif 000002
【特許請求の範囲】
【請求項１】
遊技領域が形成された遊技盤に、変動表示ゲームを表示する変動表示装置を配設した弾球遊技機において、
前記変動表示装置は、
表示部を有する表示装置本体と、
前記表示装置本体の前面側に配設されるとともに前記表示部が臨む表示用開口部を有し、前記変動表示ゲームに関連した演出を行う演出装置を配設した前面構成部材と、
から構成され、
前記演出装置は、
前記変動表示ゲームに関連した演出動作を行う可動演出部材と、
前記可動演出部材が動作可能に取り付けられるとともに該可動演出部材の背景領域を形成する背面部材と、
前記背景領域を発光させるための電気的発光部材を、所定間隔を設けて複数搭載した基板と、
前記背面部材の裏面側に配設されるとともに動力伝達部材を介して前記可動演出部材を駆動させる電気的駆動源と、
を具備し、
前記基板に開口部を形成して、該開口部に前記動力伝達部材を通すことで、該基板を前記背面部材の裏面側であって前記電気的駆動源よりも前方に配設したことを特徴とする弾球遊技機。
【請求項２】
前記背面部材および前記可動演出部材の各々は透光性を有する合成樹脂で構成され、
前記電気的発光部材は、前記可動演出部材の周囲を発光させるための第１の電気的発光部材と、前記可動演出部材自体を発光させるための第２の電気的発光部材を含んでいることを特徴とする請求項１に記載の弾球遊技機。
【請求項３】
前記演出装置には、前記基板の裏面側に前記背面部材の裏面を覆うカバー部材を備え、
前記カバー部材には前記基板の開口部と連通するカバー部材開口部が形成され、前記動力伝達部材を該開口部およびカバー部材開口部に通した状態で、当該カバー部材の裏面部に前記電気的駆動源を取り付けたことを特徴とする請求項１又は２に記載の弾球遊技機。
【請求項４】
前記前面構成部材は、前記表示用開口部よりも広く前面側に開口した凹室を形成可能に構成され、
前記可動演出部材は、前記凹室内であって前記表示用開口部の側部に配設されるとともに、該表示用開口部側に傾斜して取り付けられることを特徴とする請求項１〜３の何れか一項に記載の弾球遊技機。
【請求項５】
前記基板を前記背面部材の裏面に所定間隔を設けて配設し、
前記電気的駆動源からの動力を可動演出部材の動作に対応して変換する動力変換手段を前記背面部材と前記基板の間に設け、
前記基板に搭載される所定数の電気的発光部材は、その発光部を該基板の表面から表面側に所定間隔設けた位置にするための立設部を有し、
隣設した立設部を所定高さの連結壁により連結させることで、前記所定数の電気的発光部材を一体的に構成し、
前記連結壁により、前記動力変換手段の外側所定範囲を囲うようにしたことを特徴とする請求項１〜４の何れか一項に記載の弾球遊技機。
【請求項６】
前記連結壁を屈曲させたことを特徴とする請求項５に記載の弾球遊技機。
【請求項７】
前記連結壁の基部に前記基板と面接触する取付板部材を備えたことを特徴とする請求項５又は６に記載の弾球遊技機。
【請求項８】
前記基板を前記背面部材の裏面に所定間隔を設けて配設し、
前記電気的駆動源からの動力を可動演出部材の動作に対応して変換する動力変換手段を前記背面部材と前記基板の間に設け、
前記基板の開口部を、前記動力伝達部材の可動範囲、及び前記動力変換手段における所定の変換機構部の配置空間、の各々を確保する形状に形成したことを特徴とする請求項１〜７の何れか一項に記載の弾球遊技機。
【発明の詳細な説明】
【０００１】
【発明の属する技術分野】
本発明は、弾球遊技機に関する。
【０００２】
【従来の技術】
従来、可変表示装置（変動表示装置）で行われる変動表示ゲームの結果が大当たりとなった場合に、当該可変表示装置の周囲に配設された発光部材を発光させて大当たりを装飾するようにしているが、これらの複数の発光部材を単一の基板に搭載するようにしたパチンコ機は知られている（例えば、特許文献１参照。）。
また、変動表示ゲームにおけるリーチ状態等の演出を、電動駆動手段の作動により部品や部材（人形など）を動作させることで行うような可動報知手段を備えた遊技機も知られている（例えば、特許文献２参照。）。
【０００３】
【特許文献１】
実開平６−５６８１号公報（図３）
【特許文献２】
特開２００２−２８２４３８号公報（第４−５頁、図７）
【０００４】
【発明が解決しようとする課題】
変動表示ゲームの演出効果を高めるためには、可動報知手段（演出装置）における例えば人形の周辺部や人形自体を発光させることが望ましいが、可動報知手段の裏面側には電動駆動手段（電気的駆動源）が配設されているため、発光部材を取り付けることが困難である。
すなわち、部材を発光させる際には、部材として透光性を有するものを用い、部材の後方に発光部材を配置し、部材の後方から光を照射することが一般的であるが、部材の後方に部材を動作させる電動駆動手段があると、電動駆動手段が発光部材の取り付けの邪魔となる。
特に、発光効果を高めるためには、可動報知手段の近くに発光部材を取り付ける方がよいが可動報知手段の直後には電動駆動手段のほか電動駆動手段から可動報知手段への動力伝達部材が配設されているため、その取り付けは非常に困難である。また、可動する部材に直接発光部材を取り付けるものとした場合には、発光部材の取り付けに極めて手間がかかり、かつ、発光部材用の配線の引き回しが難しいとともに、配線が部材の可動の邪魔になる可能性がある。
また、発光効果を更に高めるためには、複数の発光部材を取り付ける方がよいが、その場合には、更に発光部材の取り付けが困難となる。すなわち、可動報知手段を発光させるための発光部材の取り付けは、取り付け構造が煩雑になる可能性が高いとともに、取付作業の作業性が悪くなる可能性が高い。
複数の発光部材を配設する場合に、その取り付けの作業性等を向上させるためには、上記先行技術のように単一の基板に搭載することが考えられるが、複数の発光部材を搭載した場合には基板の面積が大きくなり、そのような取付面積を余分に有する基板を可動報知手段の裏面に発光効果が高まるように取り付けるのは、非常に困難である。かといって、該基板を電動駆動手段の裏面に取り付けた場合には、電動駆動手段により光が遮られたり反射したりして効率よく可動報知手段（人形自体およびその周辺）を発光させることができない。
【０００５】
この発明は、前記のような問題点を解決するためになされたもので、変動表示ゲームを表示する変動表示装置に、構造が煩雑にならずに小型化が可能で、かつ、組立が容易で、変動表示ゲームの進行に対応した演出動作を行うとともに発光し、変動表示ゲームの演出効果を高めることができる演出装置を設けた弾球遊技機を提供する。
【０００６】
【課題を解決するための手段】
前記課題を解決するため、
請求項１に記載の発明は、遊技領域が形成された遊技盤に、変動表示ゲームを表示する変動表示装置を配設した弾球遊技機において、
前記変動表示装置は、
表示部を有する表示装置本体と、
前記表示装置本体の前面側に配設されるとともに前記表示部が臨む表示用開口部を有し、前記変動表示ゲームに関連した演出を行う演出装置を配設した前面構成部材と、
から構成され、
前記演出装置は、
前記変動表示ゲームに関連した演出動作を行う可動演出部材と、
前記可動演出部材が動作可能に取り付けられるとともに該可動演出部材の背景領域を形成する背面部材と、
前記背景領域を発光させるための電気的発光部材を、所定間隔を設けて複数搭載した基板と、
前記背面部材の裏面側に配設されるとともに動力伝達部材を介して前記可動演出部材を駆動させる電気的駆動源と、
を具備し、
前記基板に開口部を形成して、該開口部に前記動力伝達部材を通すことで、該基板を前記背面部材の裏面側であって前記電気的駆動源よりも前方に配設したことを特徴としている。
【０００７】
ここで、弾球遊技機には、パチンコ遊技機、アレンジボール遊技機、雀球遊技機などが含まれる。
また、変動表示ゲームとは、複数の識別図柄（識別情報）を変動表示装置の表示装置本体に備えられた表示部の複数の領域（例えば、左、中、右の三つの領域）で変動表示し、変動表示ゲームの開始から所定時間経過した時点で、各表示領域の変動表示を所定の順に停止させて各々所定の図柄を停止表示することで表示結果を導出するものが挙げられる。
【０００８】
また、表示装置本体としては、液晶表示装置、ＣＲＴ（陰極線管）表示装置、ＥＬ表示装置、発光素子を配列した表示装置などの各種ディスプレイや、回転ドラムを使用したメカ式の表示装置などでもよく、表示部で識別情報を変動表示可能となっていれば良い。
また、表示部とは、表示装置本体において実際に変動表示ゲームが表示される部分であり、ディスプレイの表示画面や、メカ式の表示装置において、識別情報が遊技者に対して露出する部分である。
また、可動演出部材の背景領域とは、可動演出部材の背後の光景（後景）となる領域であり、正面から見て可動演出部材の周囲と、可動演出部材の真裏となる部分（可動演出部材と前後に重なる部分）を含むものである。すなわち、正面から平面的に見て可動演出部材に隠される可動演出部材の真裏の部分も、立体的に見た場合に背景が存在するので、背景領域には可動演出部材の真裏の部分が含まれる。
そして、背景領域を発光させる電気的発光部材により、背景領域と重なる可動演出部材と、背景領域を形成する背面部材とを発光させることができる。
また、電気的発光部材とは、ランプ（電灯、豆球）、ＬＥＤ、半導体レーザ、ＥＬ素子、蛍光管（陰極管）等の電気により発光するものである。
また、電気的駆動源とは、ソレノイド、各種モータ等の電力により作動するものである。
また、動力伝達部材とは、ここでは機械的に電気的駆動源の動力を可動演出部材の動作用に伝達するものであるが、ここで、電気的駆動源の作動部の運動を例えば、回転から往復移動等のように変換しながら伝達するものを含んでも良いし、含まなくても良い。動力伝達部材は、例えば、駆動源の作動部の移動を直接的に伝動する棒状の部材（例えば、ピンや回転軸）であっても良し、歯車、チェーン、ベルト等の各種の周知の伝動部材であっても良いし、気体や液体等の流体を用いたものでも良い。
【０００９】
この請求項１に記載の発明によれば、変動表示ゲームを行う変動表示装置の前面構成部材に変動表示ゲームに関連した演出動作を行う可動演出部材を備えた演出装置を設け、演出装置に可動演出部材の後方となる背景領域を発光させる電気的発光部材を複数搭載した基板を備えるので、発光する可動演出部材により変動表示ゲームの演出効果を高めることができ、変動表示ゲームの興趣を高めることができる。
また、発光部材を搭載した基板に開口部を形成して、該開口部に動力伝達部材を通すことで、該基板を前記背面部材の裏面側であって前記電気的駆動源よりも前方に配設したことにより、可動演出部材に対して発光部材を近い位置に配設することができるので、可動演出部材の周囲或いは可動演出部材自体を効率よく照らすことができ、視認性および装飾性を向上させ、演出効果を更に高めることができる。
また、電気的駆動源を基板の裏面に備えても、その動力の伝達は開口部を介して何ら問題なく行えるし、位置的に電気的駆動源からの熱が放出し易くなる。
【００１０】
また、複数の電気的発光部材を搭載した基板を備えたことにより、発光効果を高めることができるとともに、その取付作業を容易にしたり、取付位置を正確にしたりできる。また、リード線を省けるので、電気的駆動源に関連した作動部にリード線が絡まってしまうといった配線に関する課題を解決できる。また、可動演出部材、電気的発光部材を搭載した基板、電気的駆動源が前後に並んだ状態に配置されるので、小型化され、限られた遊技盤の面積内に配置しやすくなる。
【００１１】
請求項２に記載の発明は、
請求項１に記載の弾球遊技機において、
前記背面部材および前記可動演出部材の各々は透光性を有する合成樹脂で構成され、
前記電気的発光部材は、前記可動演出部材の周囲を発光させるための第１の電気的発光部材と、前記可動演出部材自体を発光させるための第２の電気的発光部材を含んでいることを特徴としている。
【００１２】
この請求項２に記載の発明によれば、可動演出部材の周囲および可動演出部材自体を照らすためには、複数の電気的発光部材を広範囲に配設する必要があるが、その取付に関しても何ら問題なく行うことができる。すなわち、上述のように複数の電気的発光部材は基板に搭載されており、第１の電気的発光部材と第２の電気的発光部材も基板に搭載されることになるので、取付作業が容易となるとともに、基板に動力伝達部材を通す開口部を設けることで、基板を電気的駆動源より前方の配置できる。
また、背面部材が透光性を有することにより、可動演出部材と電気的発光部材との間に背面部材が配置されても、可動演出部材を光らせることができる。なお、背面部材の可動演出部材を発光させる電気的発光部材に対応する部分は、光透過率が高いこと（透明となっていること）が好ましく、また、背面部材の可動演出部材を発光させる第２の電気的発光部材に対応する部分に孔や開口部や切欠部があっても良い。
【００１３】
請求項３に記載の発明は、
請求項１又は２に記載の弾球遊技機において、
前記演出装置には、前記基板の裏面側に前記背面部材の裏面を覆うカバー部材を備え、
前記カバー部材には前記基板の開口部と連通するカバー部材開口部が形成され、前記動力伝達部材を該開口部およびカバー部材開口部に通した状態で、当該カバー部材の裏面部に前記電気的駆動源を取り付けたことを特徴としている。
【００１４】
この請求項３に記載の発明によれば、前記基板の裏面側に前記背面部材の裏面を覆うカバー部材を備えたので、動力伝達部材と可動演出部材のリンク部や基板の裏面を保護することができ、遊技球やリード線等が接触することで発生する可動部材の動作不良、基板のショートなどを防止することができる。
また、電気的駆動源をカバー部材の裏面に備えても、その動力の伝達は基板の開口部およびカバー部材開口部を介して何ら問題なく行えるし、電気的駆動源がカバー部材の外側となることから位置的に電気的駆動源からの熱が放出し易くなる。
また、可動演出部材及び背面部材の裏面側に基板と電気的駆動源とを前後に重ねて配置する際に、基板より後方で背面部材の裏面を覆うカバー部材の裏面部に電気的駆動源を取り付けるようにすることで、電気的発光部材を搭載した基板の裏面側に電気的駆動源を容易に取り付けることができる。
【００１５】
請求項４に記載の発明は、
請求項１〜３の何れか一項に記載の弾球遊技機において、
前記前面構成部材は、前記表示用開口部よりも広く前面側に開口した凹室を形成可能に構成され、
前記可動演出部材は、前記凹室内であって前記表示用開口部の側部に配設されるとともに、該表示用開口部側に傾斜して取り付けられることを特徴としている。
【００１６】
ここで、表示用開口部の側部とは、表示用開口部と隣接する表示用開口部の周囲の部分を含むとともに、表示用開口部の側縁部と前後に重なる部分を含んでも良い。
この請求項４に記載の発明によれば、可動演出部材を凹室内の表示用開口部の側部に配設したことにより、変動表示ゲームの可動演出部材による演出を表示部から近い位置で効率よく行える。
また、可動演出部材の裏面に電気的発光部材を配設する場合に、電気的発光部材の配設位置を避けるために、電気的駆動源を可動演出部材の裏面ではなく、左右方向や上下方向にずらして取り付けることも考えられるが、このようにした場合には、演出装置自体が大きくなってしまい可動演出部材を凹室内に配設することが困難となってしまうが、本発明では、電気的駆動源と基板を可動演出部材の裏面に何ら問題なく配設できるので、可動演出部材を凹室内に確実に配設することができる。
【００１７】
言い換えれば、演出装置において、基板に動力伝達部材を通す開口部を形成することにより、可動演出部材、背面部材、電気的発光部材を搭載した基板、可動演出部材を駆動する電気的駆動源を前後に重ねて配置することが可能となり、電気的駆動源が可動演出部材と前後に重ならない位置に配置された場合に比較して、演出装置を小型化でき、特に正面から見た場合の面積を小さくできるので、演出装置を面積が限られた遊技盤に配置される前面構成部材の凹室内に容易に配置できる。
また、該表示用開口部側に傾斜して取り付けられることにより、更に正面からみた場合の可動演出部材の面積を減少させることができるとともに、可動演出部材を傾斜させることにより、可動演出部材の正面を、表示部（表示用開口部）の前方の遊技者に向けることができ、更に、遊技盤１を正面から見た場合の可動演出部材の立体感が高くなり、より演出効果を高めることができる。
【００１８】
請求項５に記載の発明は、
請求項１〜４の何れか一項に記載の弾球遊技機において、
前記基板を前記背面部材の裏面に所定間隔を設けて配設し、
前記電気的駆動源からの動力を可動演出部材の動作に対応して変換する動力変換手段を前記背面部材と前記基板の間に設け、
前記基板に搭載される所定数の電気的発光部材は、その発光部を該基板の表面から表面側に所定間隔設けた位置にするための立設部を有し、
隣設した立設部を所定高さの連結壁により連結させることで、前記所定数の電気的発光部材を一体的に構成し、
前記連結壁により、前記動力変換手段の外側所定範囲を囲うようにしたことを特徴としている。
【００１９】
ここで、「所定数の電気的発光部材」は、基板に搭載されている電気的発光部材の全てでもよいし、その一部（但し、複数）でもよい。また、連結壁により、前記動力変換手段の外側所定範囲を囲うとは、動力変換手段の周囲を一周するように囲うものとしても良いし、動力変換手段の周囲を一周する部分の一部に連結壁があるものとしても良いし、動力変換手段の一部を囲うように連結壁を設けるものとしても良い。なお、見方を変えれば、連結壁により、電気的発光部材の発光部が基板の表面から表面側に所定間隔設けた位置に配置されており、連結壁の電気的発光部材の取り付けられた部分が立設部となる。
また、動力変換手段とは、電気的駆動源の作動部の運動が動力伝達部材を介して伝達された際に、可動演出部材の動作に対応するように運動方向等を変換するものであり、リンク、カム、チェーン、ベルト、各種ギア等の周知の運動方向を変換可能な伝動機構を用いることができる。
【００２０】
この請求項５に記載の発明によれば、電気的発光部材の立設部により発光部を可動演出部材の位置に更に近づけることができ、発光効果を更に高めることができる。すなわち、電気的駆動源からの動力を可動演出部材の動作に対応して変換する動力変換手段を前記背面部材と前記基板の間に設けることにより、基板が動力変換手段より後方となっても、電気的発光部材の発光部を動力変換手段と同じ前後位置もしくは動力変換手段より前方に配置できる。これにより、電気的発光部材の発光が動力変換手段により遮られたりすることがなく、効率的に可動演出部材を発光させることができる。また、言い換えれば、立設部や連結壁により、電気的発光部材を背面部材から遠ざけることなく、背面部材と基板との間に動力変換手段を配置する空間を形成することができる。
【００２１】
また、連結壁により連結されて所定数の電気的発光部材が立設部を介して一体的に構成されているので、立設部に電気的発光部材が取り付けられた状態で、連結壁で連結された複数の電気的発光部材を一度に基板に実装することができ、電気的発光部材の基板への取付作業性を向上させることができる。
また、連結壁により連結されて所定数の電気的発光部材が一体的に構成されているので、所定高さとなっている電気的発光部材が基板に対して倒れてしまうことを防止できる。
また、所定数の電気的発光部材を連結する連結壁により、動力変換手段の外側所定範囲を囲うようにしたので、動力変換手段に何らかの物（パチンコ球、リード線、ほこりなど）が接触して動作不良を起こしたりすることを防止できる。
【００２２】
請求項６に記載の発明は、
請求項５に記載の弾球遊技機において、
前記連結壁を屈曲させたことを特徴としている。
【００２３】
この請求項６に記載の発明によれば、連結壁を真っ直ぐではなく屈曲させたことにより、電気的発光部材を囲う範囲を広げることが可能となり、また、効率よく囲うことが可能となる。なお、屈曲とは、狭い範囲で急激に曲がっている必要はなく、緩やかに湾曲しているものも含まれる。
連結壁が屈曲していることにより、一体的となっている電気的発光部材が基板に対して倒れてしまうのを更に防止できる。
【００２４】
請求項７に記載の発明は、
請求項５又は６に記載の弾球遊技機において、
前記連結壁の基部に前記基板と面接触する取付板部材を備えたことを特徴としている。
【００２５】
この請求項７に記載の発明によれば、連結壁の基部に前記基板と面接触する取付板部材を備えたので、一体的となっている電気的発光部材が基板に対して倒れてしまうのを更に防止できる。また、電気的発光部材の基板への取付性を更に向上できる。
【００２６】
請求項８に記載の発明は、
請求項１〜７の何れか一項に記載の弾球遊技機において、
前記基板を前記背面部材の裏面に所定間隔を設けて配設し、
前記電気的駆動源からの動力を可動演出部材の動作に対応して変換する動力変換手段を前記背面部材と前記基板の間に設け、
前記基板の開口部を、前記動力伝達部材の可動範囲、及び前記動力変換手段における所定の変換機構部の配置空間、の各々を確保する形状に形成したことを特徴としている。
【００２７】
ここで、「所定の変換機構部」は、動力変換手段の全部、もしくはそのうちの一部（裏面に突出  する部材のみ）、を含む。
この請求項８に記載の発明によれば、基板を背面部材に近づけることができるとともに、動力伝達部材の伝達動作及び動力変換手段の変換動作を確実に行える。すなわち、動力変換手段に含まれる変換機構部によっては、前後方向に大きな厚みが必要な部分があり、最も厚い部分にあわせて基板を配置すると基板の配置位置が後方になるが、最も厚い部分もしくは動力変換手段の厚みのある部分全体（すなわち、所定の変換機構部）と開口部が重なるように開口部を形成すれば、動力変換手段の動作を妨げることなく基板をより前方に配置して背面部材に近づけることができる。
【００２８】
【発明の実施の形態】
以下、この発明に係る実施の形態について、図面を参照しながら説明する。
図１は、本発明に係る遊技機の一形態として例示するパチンコ遊技機１００の遊技盤１を示す正面図である。
【００２９】
この遊技盤１のガイドレール２で囲まれた遊技領域１ａでは、図示しない発射装置によって発射された遊技球が流下するようになっている。また、前記遊技領域１ａには、遊技球の通過により普通変動表示ゲームの始動条件を付与する普図始動ゲート６，６、普通変動表示ゲームを表示する普通図柄（普図）表示装置（図示略）、普通図柄変動表示装置での普通変動表示ゲームの結果如何によって開閉部材９ａ，９ａを開（遊技者にとって有利な状態）閉（遊技者にとって不利な状態）させる始動入賞口（特図始動入賞口）を兼ねた普通変動入賞装置９、普通変動入賞装置（始動入賞口）９への遊技球の入賞に基づき変動表示ゲーム（ここでは特別変動表示ゲーム）を表示する変動表示装置（特別図柄表示装置）４、変動表示装置４での特別変動表示ゲームの結果如何によって大入賞口５ｂを閉じた状態（遊技者にとって不利な状態）から開放状態（遊技者にとって有利な状態）に変換するサイクル遊技を行う特別変動入賞装置５、一般入賞口８，…、サイドランプ１２，１２、風車と呼ばれる打球方向変換部材１４、多数の障害釘（図示略）などが配設されている。遊技領域１ａの最下端部中央にはアウト球を回収するためのアウト穴１３が設けられている。
【００３０】
このうち、変動表示装置４は、識別情報としての特別図柄（特図）の変動表示ゲームの表示等を行う表示装置本体４ａ（例えば、液晶表示装置からなる）と、この表示装置本体４ａの前面側に配設される前面構成部材２０から構成されている。なお、表示装置本体４ａには、液晶表示装置等のディスプレイと、ディスプレイの裏面に配置され、ディスプレイの表示の制御等を含む演出の制御を行う後述の演出制御装置となる演出制御基板（図示略）とが含まれる。
【００３１】
表示装置本体４ａは、表示状態が変化可能な表示画面（表示部）４ｇを備え、この表示画面４ｇにおいて複数種類の識別情報（例えば、キャラクタ、数字、記号などからなる図柄等）を変動表示させることにより特図の変動表示ゲームを実行可能となっている。
つまり、本実施形態のパチンコ遊技機１００は、遊技領域１ａが形成された遊技盤１に、変動表示ゲームを表示する変動表示装置４（表示装置本体４ａを含む）を配設した弾球遊技機である。
【００３２】
また、例えば、表示装置本体４ａの下側には、普通変動入賞装置９に遊技球が入賞して特図変動表示ゲームが未処理となっている未処理回数を点灯表示する特図始動記憶表示部４ｃが設けられている。なお、特図始動記憶表示部４ｃの奥には、例えばＬＥＤなどからなる特図始動記憶表示器４ｂ，…（図２に図示）が設けられている。
【００３３】
普図変動表示装置には、例えば７セグメント型のＬＥＤなどによって構成された普通図柄（普図）の変動表示ゲームの表示を行う普図変動表示器（図示略）が配され、その普図変動表示器の表示状態を変化させることにより、普図変動表示装置において普通図柄（例えば、数字、記号などからなる図柄等）の変動表示ゲームを実行可能となっている。
【００３４】
また、例えば、特別変動入賞装置５の正面視右側には、普図始動ゲート６，６を遊技球が通過（普図の始動入賞）して普図変動表示ゲームが未処理となっている未処理回数を表示する普図始動記憶表示装置が配設されている。
【００３５】
普通変動入賞装置９は左右一対の開閉部材９ａ，９ａを具備し、この開閉部材９ａ，９ａは、常時は遊技球が１個流入可能な程度の間隔で閉じた状態を保持しているが、普図の変動表示器７における変動表示ゲームの結果が特別の結果態様となった場合には、逆「ハ」の字状に開いて普通変動入賞装置９に遊技球が流入し易い状態に変化されるようになっている。
この普通変動入賞装置９は、特図の始動口（始動入賞口）も兼ねる。
【００３６】
特別変動入賞装置５は、アタッカー形式の開閉扉５ａによって開閉される大入賞口５ｂを備えている。
開閉扉５ａはその上端側が手前側に倒れる方向に回動して開放可能になっていて、特図の変動表示ゲームの結果が特別結果態様（例えば、「７、７、７」等、ゾロ目数字の何れか）となって大当たり等が発生した場合に、大入賞口５ｂが開放されるようになっている。
【００３７】
ここで、遊技を開始することにより遊技領域１ａ内に打ち込まれた遊技球が、一般入賞口８、普通変動入賞装置９、大入賞口５ｂの何れかに入賞すると、それぞれ所定数の賞球が排出される（払い出される）ようになっている。
【００３８】
また、遊技領域１ａ内に打ち込まれた遊技球が、普図始動ゲート６，６内を通過すると、普図変動表示装置において普図の変動表示ゲームが行われる。
この普図の変動表示ゲームは、普図変動表示装置の表示状態（点灯状態）を所定時間変動表示させた後、停止表示させることにより行うようになっている。
この普図の変動表示ゲームの結果、普図変動表示装置における停止表示が特別の結果態様となれば、普図の変動表示ゲームが当たりとなって、普通変動入賞装置９が所定時間（例えば、０．５秒間）開放される。それにより、普通変動入賞装置９に遊技球が入賞しやすくなり、特図の変動表示ゲームの始動が容易となる。
【００３９】
また、遊技領域１ａ内に打ち込まれた遊技球が、普通変動入賞装置９に入賞すると、特図の変動表示装置４の表示画面４ｇにおいて、複数種類の識別情報が変動表示される特図の変動表示ゲームが開始される。
この特図の変動表示ゲームの結果として、表示画面４ｇの表示態様が特別結果態様（例えば、「１，１，１」等、ゾロ目数字の何れか）となった場合には、大当たりとなって特別遊技状態（いわゆる、大当たり状態）となる。
この大当たり状態中は、特別変動入賞装置５の大入賞口５ｂを閉じた状態から開放状態に変換するサイクル遊技が、所定回数を限度に行われ、これにより遊技者は遊技球を大量獲得する機会を得る。すなわち、パチンコ遊技機は、特図変動表示ゲームの結果、予め定められた特別結果態様となることに関連して、遊技者に有利な特別遊技状態が発生するといった所定の遊技価値を付与可能となる。
【００４０】
なお、遊技盤１の裏面側には、図示は省略するが、球の排出動作等を制御する排出制御装置と、遊技領域に設けられた変動表示装置４の表示制御、パチンコ遊技機が備えるランプやＬＥＤなどの発光部材の点灯・点滅状態の制御、後述する可動演出部材４１を動作させるソレノイド４４（電気的駆動源）の制御、及び、スピーカ等の出力の制御等を行う演出制御装置と、遊技機前面の操作ハンドル（図示略）の操作に基づき遊技球を遊技領域に発射させる発射装置と、この発射装置の制御を行う発射制御装置と、これら各制御装置等を統括制御する遊技制御装置等とが設けられている。
【００４１】
次に、本実施形態のパチンコ遊技機１００における主要な構成である変動表示装置４の詳細について説明する。
【００４２】
変動表示装置４は、表示画面（表示部）４ｇを有する表示装置本体（表示装置本体）４ａと、この表示装置本体４ａの前面側に配設されるとともに、前記表示画面（表示部）４ｇが臨む後述の表示用開口部３０ａを有し、前記変動表示ゲームに関連した演出を行う後述の演出装置４０を配設した前面構成部材２０とを備えて構成されている。
【００４３】
図２〜図５に示すように、前面構成部材２０は、遊技盤１に取り付けられる取付基板２１が外周部分に形成された枠状の本体枠２２に各種の構成部材が取り付けられて構成されるものである。そして、本体枠２２には、鎧部２２ｋの一部となる装飾鎧部材２４と、装飾鎧部材２４の下側に配置され後方からランプで照らされる上部装飾レンズ部材２５と、装飾鎧部材２４の左側に配置されるワープ構成部材２６と、装飾鎧部材２４及びワープ構成部材２６の下側において光による演出を行うための演出用レンズ部材２７と、本体枠２２内の表示画面４ｇが露出する表示用開口部３０ａより下に配置されるステージ構成部材２８と、前述の上部装飾レンズ部材２５、ワープ構成部材２６、演出用レンズ部材２７、ステージ構成部材２８の背面を一体的にカバーするカバー板２９と、このカバー板２９の裏面に配置され、表示用開口部３０ａを形成する四角枠状の壁部３０ｂを備える裏面枠３０と、本体枠２２内部の右側部に配置され、可動演出部材４１を有する演出装置４０とを備える。
【００４４】
本体枠２２は、遊技盤１に形成された図示しない取付開口部内に挿入されるように後方に延出し、概略楕円筒状の後部枠２２ａと、後部枠２２ａの前端部の周囲から外側に向かって不均等に鍔状に延出する上記取付基板２１と、本体枠２２の上部の左側に前方に向かって壁状に形成された鎧壁部２２ｂと、本体枠２２の右側部に前方に向かって壁状に形成された演出装置囲い壁２２ｃと、本体枠２２の下部に取付基板２１に沿ってステージ構成部材２８の前面を覆うように形成されたステージカバー部材２２ｄとが一体に形成されている。
【００４５】
後部枠２２ａは、その枠状の内部に遊技盤１の前面より取付基板２１の厚み分だけ前方から後方に向かって遊技盤１前面から後方に向かう空間を形成するようになっている。そして、後部枠２２ａの内部に形成される空間と、裏面枠３０の表示用開口部３０ａを形成する四角筒状の壁部３０ｂ内に形成される空間とを合わせた空間が、表示用開口部３０ａよりも広く前面側に開口した凹室２０ａとなっている。なお、後部枠２２ａの内径は、表示用開口部３０ａの外形より大きくなっており、後部枠２２ａの空間を正面から見た面積の方が、表示用開口部３０ａの面積より広くなっている。従って、後部枠２２ａ及び裏面枠３０を備える前記前面構成部材２０は、前記表示用開口部３０ａよりも広く前面側に開口した凹室２０ａを形成可能に構成されている。
【００４６】
取付基板２１は、遊技盤１の前面に沿った板状となっており、本体枠２２を含む前面構成部材２０を遊技盤１に取り付けるもので、ビス止め用の複数のビス孔が形成されている。
また、本体枠２２の上部の中央部分から右側の部分において、上述の取付基板２１が三角状に上に向かって延出するように形成されており、この取付基板２１の上に向かって延出した部分が、装飾鎧部材２４を取り付けるための鎧取付部２１ａを構成している。
ステージカバー部材２２ｄには、その中央にステージ構成部材２８から遊技盤１の裏面側に導かれた遊技球を普通変動入賞装置の真上に放出するための誘導通路出口２２ｆが形成されている。
【００４７】
後部枠２２ａは、上述のようにほぼ楕円状となっているが、後部枠２２ａの右側は、ほぼ矩形状でかつ右上の角にＲが付けられた形状に右方に突出した状態となっている。そして、上述のように突出した後部枠２２ａ内の右側部の空間が演出装置収納部となっている。
また、後部枠２２ａの右側部（演出装置収納部）の上側と下側とには、後述する演出装置４０の上下に形成された突条であるガイド５５，５５を挿入するスリット２２ｇ、２２ｇが後部枠２２ａの後方に向かって開放されて形成されている。また、スリット２２ｇ、２２ｇは、互いに平行な遊技盤１の前面及び後部枠２２ａの後端面に対して直角に形成されている。
また、後部枠２２ａの内周の下部の中央部には、上述の誘導通路出口２２ｆに繋がる誘導通路２２ｅを形成するために、誘導通路２２ｅの左右を覆う壁部２２ｅ１が形成されている。
【００４８】
鎧壁部２２ｂは、本体枠２２の外周部の左斜め上の部分にそって配置されるとともに、ワープ構成部材２６の上側外周に沿って配置される。演出装置囲い壁２２ｃは、本体枠２２の外周部の右側の部分に沿って配置されて演出装置４０の右側を覆うようにほぼ上下方向に沿って配置されている。
そして、本体枠２２上部の左側の鎧壁部２２ｂから装飾鎧部材２４を経て演出装置囲い壁２２ｃに至る部分が鎧部２２ｋを構成している。鎧部２２ｋは、変動表示装置４の表示装置本体４ａを、変動表示装置４の上方から流下する遊技球から保護するものであり、この例において、更に、主に演出装置囲い壁２２ｃが演出装置４０を保護し、主に鎧壁部２２ｂ及び装飾鎧部材２４がワープ構成部材２６、演出用レンズ部材２７を遊技球から保護するようになっている。
【００４９】
また、演出装置囲い壁２２ｃは、遊技盤１の前面より前方に突出して、演出装置４０を遊技球から保護するものであるが、遊技領域１ａの前面構成部材２０（演出装置囲い壁２２ｃ）より右側の領域において、演出装置囲い壁２２ｃとガイドレール２（右側の部分）との間が、遊技領域１ａの左側から前面構成部材２０の上を越えて遊技領域１ａの右側を流下する遊技球の通路を構成するようになっている。
そして、演出装置囲い壁２２ｃの右側面（前面構成部材２０の右側の外面）には、複数（例えば、二つ）の球勢減衰用突起部材２２ｊ，２２ｊが設けられている。上述の前面構成部材２０の右側を通過する遊技球が突起部材２２ｊ、２２ｊに接触した（当たった）場合には、遊技球の流下の勢い（落下速度）が減衰されて遊技球の衝突による下部の部材（入賞口等）の破損を防止するとともに、遊技球の進む方向が変更させられ、遊技球の遊技領域１ａ内の滞留時間を長くして遊技者に遊技球を長い間見せることにより、遊技球が各種入賞口やゲートに入るかも知れないという期待感を長引かせることができる。
【００５０】
また、上述の鎧壁部２２ｂと装飾鎧部材２４との間には、遊技球の直径より広い隙間が形成されており、鎧壁部２２ｂと装飾鎧部材２４との間に下に配置されるワープ構成部材２６のワープ入口２６ｄに遊技球が進入可能となっている。
そして、装飾鎧部材２４は、この例において、鎧部２２ｋとしての機能と装飾部材としての機能を有するもので、前記取付基板２１の鎧取付部２１ａの前面にビス等により固定される。なお、鎧取付部２１ａには、装飾鎧部材２４を取り付けるためのビス孔のほかに、位置決め孔が形成されており、鎧取付部２１ａには、位置決め孔に対応する位置に位置決め突起が設けられている。
なお、この例において、変動表示装置４で行われる変動表示ゲームの演出は、お化けに関するものとなっており、前面構成部材２０は、お化け屋敷（寺）風の装飾が施されている。そして、前面構成部材２０の上部に位置する装飾鎧部材２４は、お化け屋敷の屋根を表す装飾部材となっている。また、装飾鎧部材２４には、大小二つの振り子状の吊り装飾部材２４ａ，２４ａが、左右に揺動可能に下方に吊り下げられた状態で設けられている。
【００５１】
また、前記上部装飾レンズ部材２５は、装飾鎧部材２４の下方に配置され、本体枠２２の後部枠２２ａの後端とカバー板２９との間に挟まれて支持されるとともに、後述するようにカバー板２９に固定される演出用レンズ部材２７に設けられた図示しない係合部と係合する係合部を有し、演出用レンズ部材２７に係合して位置決めされる。更に、上部装飾レンズ部材２５は、カバー板２９とカバー板２９の裏面に重なる裏面枠３０と重なった状態で、演出装置４０の後述する背面部材４２とカバー部材４５とに挟まれて支持されるようになっている。
そして、上部装飾レンズ部材２５は、装飾鎧部材２４の下側で装飾鎧部材２４から吊り下げられた吊り装飾部材２４ａ，２４ａの後方に配置されており、複数のランプ（豆球）により後方から光をあてることで発光した状態となることが可能である。なお、ランプは、裏面枠３０の裏面に取り付けられた装飾用ランプ基板３１に実装されている。なお、裏面枠３０の装飾用ランプ基板３１に実装されたランプの位置には、ランプの光を通すための貫通孔３１ａが形成されている。
【００５２】
なお、上部装飾レンズ部材２５は、演出装置４０の背面部材４２とともにお化け屋敷の壁を表す装飾部材となっている。また、上部装飾レンズ部材２５は透光性を有する合成樹脂で形成されるとともに、微粒子状の拡散材が内部に分散した状態とされ、後方から照射した光を拡散して光源が直接見えないようにするとともに、自らが発光しているように見せるものとなっている。また、この例において、後方から光を照射されて発光した状態となる透光性を有する部材をレンズ部材と称する場合があるが、透光部材と称しても良い。また、レンズ部材には、実際にレンズ形状を有してレンズ（光学素子）として機能するものと、光を透過させ、透過する光の方向を変更する可能性が高いが必ずしもレンズ（光学素子）として機能することを意図されていないものとがある。
【００５３】
ワープ構成部材２６は、カバー板２９に固定されるワープ基部２６ａと、ワープ基部２６ａに固定される第１ワープ通路２６ｂと、第１ワープ通路２６ｂの外周を装飾するワープ装飾部材２６ｃとを備える。第１ワープ通路２６ｂは、上述の本体枠２２の鎧壁部２２ｂの内周に沿って緩やかに湾曲した状態で下方に傾斜するように配置され、断面Ｕ字状の透明合成樹脂からなり、ワープ基部２６ａと前後に重なることにより開放部分が後述するワープ入口２６ｄと通路変換部２６ｅを除いて閉塞され、内部が管状の遊技球用通路となっている。また、第１ワープ通路２６ｂの上端部には、上述の鎧壁部２２ｂと装飾鎧部材２４との間の隙間に対応する位置に遊技球を通路内に進入させるための上記ワープ入口２６ｄが形成され、第１ワープ通路２６ｂの下端部にワープ基部２６ａの下部に形成される第２ワープ通路２６ｆへ第１ワープ通路２６ｂから遊技球を送り出す第２ワープ通路２６ｆとの連通孔を備えた通路変換部２６ｅが形成されている。
【００５４】
ワープ基部２６ａは、第１ワープ通路２６ｂとカバー板２９との間に配置され、断面コ字状の透明合成樹脂からなり、内部が管状となっている。そして、ワープ基部２６ａの第１ワープ通路２６ｂと重なる部分（通路変換部２６ｅを除く）は、その内部にカバー板２９に固定されるとともに、図示しない複数のＬＥＤ（電気的発光部材）が実装された装飾ＬＥＤ基板が配置され、ＬＥＤに光を照射されることにより発光するようになっている。なお、ＬＥＤの光はワープ基部２６ａを透過するとともにワープ基部２６ａの前の第１ワープ通路２６ｂを透過するので、ワープ基部２６ａと第１ワープ通路２６ｂとの両方を発光させるようになっている。なお、ワープ基部２６ａの内面には、多数の凹凸が繰り返す形状に加工され、第１ワープ通路２６ｂの内面には、磨りガラス状に微少な凹凸が多数形成され、後方から照射される光を拡散して、発光する際の装飾性を高めるようになっている。
【００５５】
そして、ワープ基部２６ａの上述の通路変換部２６ｅより下側がワープ基部２６ａとカバー板２９とに囲まれて管状の第２ワープ通路２６ｆとなっている。そして、第２ワープ通路２６ｆの下端部には、ワープ出口２６ｇとなる開口が形成されている。なお、ワープ出口２６ｇは、ステージ構成部材２８の左端部上に配置され、遊技球をステージ構成部材２８上に放出するようになっている。
また、ワープ基部２６ａの第２ワープ通路２６ｆ部分の後方には、ＬＥＤが実装された第１演出用ＬＥＤ基板３２が配置され、この第１演出用ＬＥＤ基板３２に実装されたＬＥＤにより、ワープ基部２６ａの第２ワープ通路２６ｆ部分も発光するようになっている。なお、ワープ基部２６ａ（第２ワープ通路２６ｆ）と第１演出用ＬＥＤ基板３２との間に配置されるカバー板２９、裏面枠３０等には、第１演出用ＬＥＤ基板３２のＬＥＤと前後に重なる部分に貫通孔が形成され、第１演出用ＬＥＤ基板３２のＬＥＤの光が第２ワープ通路２６ｆに達するのを妨げないようになっている。
【００５６】
このようなワープ構成部材２６によれば、鎧壁部２２ｂと装飾鎧部材２４との隙間からワープ入口２６ｄに入った遊技球が遊技盤１のほぼ前面より前側に配置された第１ワープ通路２６ｂを通過した後に通路変換部２６ｅで、第１ワープ通路２６ｂより後方の遊技盤１のほぼ前面より後側の第２ワープ通路２６ｆ内に進入し、第２ワープ通路２６ｆから遊技盤１のほぼ前面より後方に配置されたステージ構成部材２８により形成されるステージ上に放出される。なお、第２ワープ通路２６ｆよりも第１ワープ通路２６ｂの方が長くされている。また、第１ワープ通路２６ｂは、内面が磨りガラス状に加工された無色透明の合成樹脂からなるとともに、遊技盤１より前側にあることから、第１ワープ通路２６ｂ内を通過する遊技球を遊技者が視認できるようになっている。一般的にワープ通路内を通過する遊技球の特図始動入賞口となる普通変動入賞装置９の入賞率は、ワープ通路を通過しなかった遊技球の入賞率より高くなっていることから遊技者の入賞（特図変動表示ゲームのスタートもしくは特図始動記憶の増加）への期待感を持たせるものとなっており、遊技球が第１ワープ通路２６ｂにより遊技盤１の前側を通過した後に、遊技盤１前面より後側の第２ワープ通路２６ｆを通過してステージに導かれるようにしたことで、遊技者の興趣を高めることができる。
【００５７】
演出用レンズ部材２７は、表示用開口部３０ａに配置される表示装置本体４ａの表示画面４ｇにおいて表示される変動表示ゲームの演出に対応した演出を行うためのものであり、カバー板２９に固定されている。また、演出用レンズ部材２７は、遊技盤１とほぼ平行に形成された正面部２７ａと、正面部２７ａの両側縁部からそれぞれ後方に突出する側壁部２７ｂ，２７ｂとを備え、断面が概略コ字状となっているとともに、側壁部２７ｂの後縁部がカバー板２９の前面に接触した状態となっている。また、演出用レンズ部材２７は、透明な部材（ここでは、無色透明な合成樹脂）からなっている。
【００５８】
そして、カバー板２９に後述するように形成され、表示用開口部３０ａと前後に重なる開口部２９ａの左下の外周部分を演出用レンズ部材２７の始点として、開口部２９ａ（表示用開口部３０ａ）の左側に沿って上に向い、次いで、右側に湾曲して開口部２９ａの上を左から右に弧を描くように向い、演出装置４０の可動演出部材４１に近接した部分が終点となるようになっている。すなわち、演出用レンズ部材２７は、全体として湾曲したつ字状の形状を有する。また、演出用レンズ部材２７の正面部２７ａは、全体として帯状に近い形状を有するが、始点側が細く尖った形状を有し、始点から終点に向かうにつれて太くなり、終点部分が丸くなった形状を有する。
【００５９】
また、正面部２７ａには、始点から終点に向かって一列に複数のキャラクタ部２７ｃ、…が形成されている。各キャラクタ部２７ｃは、ほぼ同様の形状となっているが、演出用レンズ部材２７の始点から終点に向かうにつれて、順にキャラクタ部２７ｃが大きくなっている。
キャラクタ部２７ｃは、その外側が凸面状とされ内側が凹面状とされ、正面部２７ａから立体的に突出した状態となっている。また、演出用レンズ部材２７部材の内面には、溝（凹）と突条（凸）が繰り返す形状となっており、後方から光が照射された場合に、光を散乱して装飾性を高めるようになっているが、キャラクタ部２７ｃの表裏面は滑らかな状態となっている。そして、キャラクタ部２７ｃの内側には、キャラクタ部２７ｃの形状と相似した形状を有し、有色透明（ここでは、例えば、青）とされたキャラクタレンズ部材２７ｄ（図５に図示）が配置されている。なお、各キャラクタレンズ部材２７ｄも演出用レンズ部材２７の始点から終点に向かうにつれて順に大きくなっている。また、開口部２９ａ（表示用開口部３０ａ）の上側の大きなキャラクタ部２７ｃ用のキャラクタレンズ部材２７ｄは、その外周部から後方に向かって筒状の壁が形成されており、キャラクタ部２７ｃの後方から外側に向かって分散する光もキャラクタレンズ部材２７ｄにより着色される。
【００６０】
そして、キャラクタ部２７ｃは、例えば、後述するように表示装置本体４ａで表示される変動表示ゲームに登場するリーチ予告キャラクタを立体的に形成した形状を有するものとなっている。この例では、リーチ予告キャラクタが人魂（火の玉）とされ、各キャラクタ部２７ｃは、人魂（丸い頭部と湾曲して先が尖った尻尾からなるオタマジャクシ）状の形状となっている。そして、演出用レンズ部材２７の後方には、上述の第１演出用ＬＥＤ基板３２と第２演出用ＬＥＤ基板３３とが配置されている。そして、表示用開口部３０ａ（開口部２９ａ）の左側に配置された小さなキャラクタ部２７ｃ，…の後方に配置される第１演出用ＬＥＤ基板３２には、各キャラクタ部２７ｃと前後に重なる位置に、それぞれ一つのＬＥＤが配置されている。
【００６１】
また、表示用開口部３０ａ（開口部２９ａ）の上側に配置されたキャラクタ部２７ｃ，…の後方に配置される第２演出用ＬＥＤ基板３３には、各キャラクタ部２７ｃと前後に重なる位置に、キャラクタ部２７ｃの大きさに対応して一つから複数のＬＥＤ（電気的発光部材）が配置されている。すなわち、大きなキャラクタ部２７ｃには、その全体を照らすように複数のＬＥＤが配置されている。なお、第１演出用ＬＥＤ基板３２と第２演出用ＬＥＤ基板３３とは、カバー板２９の裏面に配置される裏面枠３０の裏面に配置され、演出用レンズ部材２７と第１演出用ＬＥＤ基板３２及び第２演出用ＬＥＤ基板３３との間に配置されるカバー板２９、裏面枠３０等には、上述の基板３２，３３に実装されたＬＥＤに対応する位置に光を通すための貫通孔が形成されている。
【００６２】
ステージ構成部材２８は、上述のワープ通路（第１ワープ通路２６ｂ及び第２ワープ通路２６ｆ）を通るか、前面構成部材２０の下側の障害釘に当たって撥ねて前面構成部材２０内の下部に進入した遊技球を普通変動入賞装置９に入賞する確率が高い誘導通路２２ｅに導くか否かを振り分ける機能を有する。そして、ステージ構成部材２８は、図５に示すように、中央部が山状に突出し、左右の側部が谷状に凹んだ上面部２８ａと、上面部２８ａの前後に下方に延出して形成された壁部２８ｂ（図５に後の壁部だけ図示）とを有する。上面部２８ａの山の頂上部分は、後方に向かって低くなるように傾斜し、谷部分は前方に向かって低くなるように傾斜している。従って、例えば、ワープ通路を流下した遊技球が流下の勢いにより上面部２８ａを左から右に移動することになるが、遊技球の速度が早い間は、左右の谷の部分の端側の登りとなる部分で反対方向に方向を転換し、上面部２８ａ上を左右に往復移動する状態となる。そして、上面部の山の頂上部分で速度が落ちると、山の頂上部分が後方に向かって低くなるように傾斜していることから遊技球は遊技盤１の裏側の誘導通路２２ｅに通じる図示しない裏通路（裏面枠３０の下部中央に形成されている）に入り、この通路から誘導通路２２ｅに至り、誘導通路出口２２ｆから普通変動入賞装置９の真上の遊技領域１ａ内にでて、普通変動入賞装置９に降下し、高い確率で普通変動入賞装置９に入賞する。一方、上面部２８ａの山に登り切れなかった遊技球は、谷部分の前方に向かって低くなる傾斜により、遊技領域１ａの普通変動入賞装置９から少し離れた位置に落下し、普通変動入賞装置９への入賞確率が低くなる。
また、前後の壁部２８ｂは、ほぼ同様の形状を有するとともに下縁部が本体枠２２の後部枠２２ａの内周面に沿った形状とされている。また、壁部２８ｂには、本体枠２２の後部枠２２ａの下側の中央部に形成される誘導通路２２ｅの部分に切欠部が形成されている。
【００６３】
また、後の壁部２８ｂの裏面には、カバー板２９と係合する係合部が設けられ、ステージ構成部材２８は、本体枠２２の後部枠２２ａの下部に収まった状態で、本体枠２２のステージカバー部材２２ｄとカバー板２９との間に挟まれて支持されるようになっている。
また、ステージ構成部材２８の右端部には、後部枠２２ａと係合する係合部が設けられ、左端部には、ワープ構成部材２６のワープ基部２６ａのワープ出口２６ｇ側端部と係合する係合部が設けられている。そして、ワープ基部２６ａとステージ構成部材２８とは、ほぼ一体となっているとともに、互いに同じ色の透明部材（赤色透明な合成樹脂）からなるとともに、内面側に同様の凹凸が繰り返す形状が形成され、外観上もワープ基部２６ａとステージ構成部材２８とが一体に見えるようになっている。
【００６４】
カバー板２９は、中央部に裏面枠３０に形成される表示用開口部３０ａと前後に重なり、表示用開口部３０ａより大きい開口部２９ａが形成された透明な板状の部材（この例では無色透明な合成樹脂板）であり、その外形形状は、本体枠２２の後部枠２２ａの演出装置４０が配置される部分を除いた部分と同様の形状を有し、カバー板２９の外周部に後部枠２２ａの一部を除く部分の後端が接触するようになっている。そして、本体枠２２の後部枠２２ａと裏面枠３０との間に挟まれて本体枠２２に固定される。
また、カバー板２９には、上述のワープ構成部材２６と、演出用レンズ部材２７と、ワープ構成部材２６の上部を後方から照らすＬＥＤが搭載された図示しない装飾用ＬＥＤ基板とが固定されるとともに、本体枠２２との間に挟むことにより、上部装飾レンズ部材２５、ステージ構成部材２８を保持するようになっている。
【００６５】
また、カバー板２９は、その下部が、裏面枠３０の下部に形成され、本体枠２２内のステージ構成部材２８上に露出する特図始動記憶表示部４ｃ（特図始動記憶表示器４ｂ）前面を覆い、ステージ構成部材２８上に進入する遊技球から特図始動記憶表示部４ｃ（特図始動記憶表示器４ｂ）を保護するようになっている。なお、カバー板２９は無色透明なので、特図始動記憶表示器４ｂをそのままカバー板２９越しに見ることができる。また、カバー板２９の下部中央部には、ステージ構成部材２８の山の頂上部から裏通路を介して誘導通路２２ｅに至る遊技球の通過経路に当たる部分に開口部２９ｃが形成されている。
【００６６】
また、カバー板２９には、上述のように、第１演出用ＬＥＤ基板３２、第２演出用ＬＥＤ基板３３のＬＥＤと前後に重なる部分に、透明な部材であるにも拘わらず、ＬＥＤの光を前方に通すための貫通孔が形成され、ＬＥＤによる演出用レンズ部材２７及びワープ基部２６ａの下部の発光効率を高めている。
また、カバー板２９には、ワープ構成部材２６と、演出用レンズ部材２７と、ワープ構成部材２６の上部を後方から照らすＬＥＤが搭載された図示しない装飾用ＬＥＤ基板を固定するためのビス孔やボス等が形成されるとともに、図示しない装飾用ＬＥＤ基板の配線を後方に引き出すための開口部２９ｅが形成されている。
【００６７】
また、カバー板２９の裏面には、表示装置本体４ａの表示画面４ｇ周囲における背景となる画像が描かれたフィルム２９ｆが取り付けられており、透明なカバー板２９の正面から露出する部分において、カバー板２９の後方を見えないようにするとともに装飾性を向上させている。なお、フィルム２９ｆには、カバー板２９に設けられた各種貫通孔や開口部２９ａ、２９ｃ等に対応する部分に孔や開口部が形成されている。また、裏面枠３０に形成された特図始動記憶表示部４ｃに対応する部分はほぼ無色透明とされているとともに、特図始動記憶表示部４ｃの端の部分に対応する部分は、透明な部分と不透明な部分が混在する状態とされている。これにより、裏面枠３０の特図始動記憶表示部４ｃとなる部分の前面に、フィルム２９ｆに描かれた画像に対応して描かれた画像の端の部分がフィルム２９ｆの不透明な部分内に混在する透明な部分から見えて立体感を高めるようになっている。
【００６８】
裏面枠３０は、前面構成部材２０の最も後に配置される部材であり、その中央部に表示装置本体４ａの表示画面４ｇが配置される表示用開口部３０ａが形成されるとともに、表示用開口部３０ａは、後方に向かうにつれて狭くなる四角筒状の壁部３０ｂの後端部に形成された状態となっている。上述のようにこの壁部３０ｂ内の空間と、本体枠２２の後部枠２２ａ内とで凹室２０ａが形成されている。
また、裏面枠３０の外形形状は、カバー板２９と同様に、本体枠２２の後部枠２２ａの演出装置４０が配置される部分を除いた部分と同様の形状を有する。そして、カバー板２９は、本体枠２２にビス止めされて固定されるようになっている。これにより、本体枠２２内から裏面枠３０の前側までの部材が本体枠２２に固定されて本体枠２２とともに遊技盤１に固定可能となる。
【００６９】
また、裏面枠３０の裏面には、表示用開口部３０ａの上側に上記第２演出用ＬＥＤ基板３３が取り付けられ、裏面枠３０の正面から向かって第２演出用ＬＥＤ基板３３の右上に装飾用ランプ基板３１が取り付けられ、裏面枠３０の正面から向かって表示用開口部３０ａの左側に第１演出用ＬＥＤ基板３２が配置されている。
また、裏面枠３０の前面の下部には、左右に長いほぼ矩形状に後方に凹んだ図示しない凹部が形成されるとともに、凹部内には、凹部を左凹部、中央凹部、右凹部の三つに分離する二つの隔壁が形成され、左凹部及び右凹部が特図始動記憶表示部４ｃとなっている。すなわち、特図始動記憶表示部４ｃは、左右に分離されて二つとなっている。そして、左凹部及び右凹部には、それぞれ、特図始動記憶表示器４ｂ，４ｂが左右に並んで二つずつ収納されている。また、左凹部及び右凹部の正面を向いた底部となる前面には、上述のようにフィルム２９ｆに対応して特図始動記憶表示器４ｂ，４ｂの背景となる画像が形成されている。また、裏面枠３０の裏面の左凹部及び右凹部に対応する部分には、特図始動記憶表示器４ｂ，４ｂとなるＬＥＤを備えた始動記憶表示ＬＥＤ基板３５，３５が取り付けられている。
また、特図始動記憶表示器４ｂ，４ｂとなるＬＥＤには、その前側に始動記憶表示レンズ部材が取り付けられている。そして、この例において始動記憶表示レンズ部材は、提灯の形状となっている。
【００７０】
また、前記中央凹部は、ステージ構成部材２８の中央の山の頂上部より上から本体枠２２の後部枠２２ａの中央部に形成された誘導通路２２ｅ及びステージカバー部材２２ｄに形成された誘導通路出口２２ｆと前後に重なる位置まで形成され、ステージ構成部材２８の中央の山の頂上から誘導通路２２ｅに至る裏通路を形成している。なお、裏面枠３０の前記中央凹部と、カバー板２９の開口部２９ｃと前後に重なる位置に配置され、遊技球はカバー板２９の開口部２９ｃにより、ステージ構成部材２８上の中央部分からカバー板２９の裏の裏通路に入るとともに、裏通路から誘導通路２２ｅにでるようになっている。
【００７１】
また、裏面枠３０は、カバー板２９と前後に重なった状態で、裏面枠３０及びカバー板２９の右側縁部が、後述するように演出装置４０の左側面に上下に形成された溝部４０ａ内に挿入されるようになっている。更に、裏面枠３０には演出装置４０のカバー部材４５に形成された係合部４５ｅと係合する係合部３０ｈが形成され、演出装置４０に対して裏面枠３０が位置決めされるようになっている。
【００７２】
次に、本発明の主要部となる演出装置４０を説明する。図６〜図１０に示すように、演出装置４０は、前記変動表示ゲームに関連した演出動作を行う可動演出部材４１と、前記可動演出部材４１が動作可能に取り付けられるとともに、該可動演出部材４１の背景領域を形成する背面部材４２と、前記背景領域を発光させるための電気的発光部材（ＬＥＤ５１，…，ランプ５２，…）を、所定間隔を設けて複数搭載した基板４３と、前記背面部材４２の後方側に配設されるとともに動力伝達部材（伝動ピン５３）を介して前記可動演出部材４１を駆動させる電気的駆動源（ソレノイド４４）と、前記基板４３の裏面側に前記背面部材４２の裏面を覆うカバー部材４５と、前記背面部材４２と基板４３との間に設けられ、前記ソレノイド４４からの動力を可動演出部材４１の動作に対応して変換する動力変換手段（リンク機構４６）とを備えている。
【００７３】
前記可動演出部材４１は、この例において、上部可動部材４１１と、下部可動部材４１２とからなり、全体としてお化け提灯の形状に形成されている。また、可動演出部材４１は、お化け提灯が口（提灯の裂け目）を閉じた状態と口を開いた状態との間で可動するようになっている。
すなわち、上部可動部材４１１は、お化け提灯の口より上部を構成し、僅かに前傾した状態で、背面部材４２にほぼ水平方向に沿って左右に移動自在に取り付けられる。そして、上部可動部材４１１は、その正面のほぼ中央部に二つの目となる目部材４１３，４１３が設けられるとともに、下部から下方に突出し、口を閉じた状態で下部可動部材４１２に隠され、口を開けた状態で露出する舌となる舌部材（図示略）が取り付けられている。
【００７４】
また、下部可動部材４１２は、お化け提灯の口より下部を構成し、上部可動部材４１１と同様に僅かに前傾した状態で、背面部材４２に、下部可動部材４１２の下端部の右側を中心としてほぼ回転して更に前傾するように移動自在に取り付けられている。
そして、上部可動部材４１１が右から左に移動する際に、下部可動部材４１２が左側を下方に下げるように回転移動することで、上部可動部材４１１の下辺の左端部と、下部可動部材４１２の上辺の左端部との間に間隔が開いて口を開けた状態となる。また、上部可動部材４１１及び下部可動部材４１２が上述の場合と逆方向に移動することにより、お化け提灯が口を閉じた状態となる。
【００７５】
背面部材４２は、可動演出部材４１とほぼ前後に重なる領域と、可動演出部材４１の背景となる背景領域とに配置される。具体的に、背面部材４２は、可動演出部材４１とほぼ同様の幅を有するとともに、可動演出部材４１のほぼ２倍の高さを有する概略矩形状とされている。そして、背面部材４２の上部の前面側に可動演出部材４１が配置され、背面部材４２の下部の前面側には、左右に寺をイメージした飾り部材４２１、４２２が取り付けられている。また、これら飾り部材４２１、４２２の間には、後述する複数のＬＥＤを配列したドット表示型のディスプレイ６１の表示画面を露出させる表示カバー部４２３が形成されている。なお、可動演出部材４１の左側縁部は、背面部材４２から左側（表示画面４ｇ（表示用開口部３０ａ）側）に突出した状態となっており、この部分だけ背面部材４２と重ならないようになっている。このような構造とすることで、可動演出部材４１は、表示装置本体４ａの表示画面４ｇに近接した状態とされるとともに、上述の演出用レンズ部材２７の終点側に近接した状態とされている。
【００７６】
また、背面部材４２は、無色透明（一部で前面に装飾用の着色部がある）である前板４２ａと、光を拡散するように白色顔料等の拡散材が内部に分散して白濁した状態で、透光性を有する後板４２ｂとが前後に二重に重なった状態となっている。そして、前板４２ａには、その前面の一部に装飾用の着色が施されるとともに、可動演出部材４１の上部可動部材４１１を移動自在に取り付けるための第１の長孔４２４と、下部可動部材４１２を移動自在に取り付けるための第２の長孔４２５及び第３の長孔４２６が形成されている。なお、長孔４２４，４２５，４２６の周囲には、後方に突出する筒状部材が形成され、後板４２ｂの前記長孔４２４，４２５，４２６と重なる部分にそれぞれ形成された長孔内に挿入されるようになっている。
【００７７】
また、第１の長孔４２４は、上部可動部材４１１を左右に移動自在に支持するように左右に長く、その長手方向がほぼ水平に沿うようになっている。また、第２の長孔４２５及び第３の長孔４２６は、下部可動部材４１２をほぼ回転移動自在に支持するようになっており、第２の長孔４２５が斜めに形成され、第３の長孔４２６が上下にほぼ垂直（鉛直）に沿うようになっている。
【００７８】
また、前板４２ａの前記カバー板２９及び裏面枠３０との接合部となる左側縁部には、前板４２ａの左側縁に沿うとともに、後方に突出する左側板部４２ａ１が一体に形成され、前板４２ａの左側板部４２ａ１の内側に、後板４２ｂの左側縁に沿うとともに、後方に突出する左側板部４２ｂ１が一体に形成されている。
なお、後述するように演出装置４０及びその可動演出部材４１は、遊技盤１の前面と平行になっておらず、図１０に示すように、表示用開口部３０ａ（から露出する表示画面４ｇ）側に傾斜して取り付けられる。そして、演出装置４０を含む前面構成部材２０を遊技盤１に取り付けた状態で、上述の左側板部４２ａ１，４２ｂ１が遊技盤１にほぼ直角となるが、背面部材４２の前板４２ａ及び後板４２ｂは、表示用開口部３０ａ側に傾斜して取り付けられる。すなわち、背面部材４２の前板４２ａ及び後板４２ｂ（背面部材４２の前面）は、背面部材４２側から見て斜め右前方を向くように傾斜して配置されている。そして、この背面部材４２の前面に取り付けられる可動演出部材４１も同様に斜め右前方を向くようになっている。従って、前板４２ａ及び後板４２ｂと、左側板部４２ａ１，４２ｂ１とは、直角ではなく斜めに一体に接合された状態となっている。
【００７９】
また、後板４２ｂの水平な上側縁部と下側縁部とには、水平に延在するとともに後方に突出する上板部４２ｂ２と下板部４２ｂ３とがそれぞれ後板４２ｂ本体と一体に形成されている。そして、上板部４２ｂ２と下板部４２ｂ３との後端面は、遊技盤１に対して平行で、かつ、前板４２ａ及び後板４２ｂ（背面部材４２の前面）に対しては、上述の傾斜角に対応する角度で斜めとなっている。
また、上板部４２ｂ２の上面及び下板部４２ｂ３の下面には、遊技盤１と直交する方向（すなわち、背面部材４２の前板４２ａ及び後板４２ｂ（背面部材４２の前面）と直交する方向に対しては、背面部材４２が傾斜している分だけ斜めの方向）に沿って形成された突条であるガイド５５，５５が形成されている。
【００８０】
そして、ガイド５５，５５は、本体枠２２に演出装置４０を取り付ける際に、本体枠２２の後部枠２２ａの右側部（演出装置収納部）の上側と下側とに形成されたスリット２２ｇ、２２ｇにガイド５５，５５を挿入する。これにより、ガイド５５，５５がスリット２２ｇ，２２ｇに案内された状態で、演出装置４０を本体枠２２に取り付けられる。これにより、演出装置４０を本体枠２２に対して位置決めした状態（傾斜角も決めた状態）で本体枠２２内に配置できる。
【００８１】
また、前板４２ａの表示カバー部４２３は、断面カマボコ型のレンズ（シリンドリカルレンズ）状となっている。また、後板４２ｂの表示カバー部４２３に対応する位置は、四角矩形状の開口部となっているとともに、開口部の周囲に後方に四角筒状に延出してドット表示型のディスプレイ６１を収納する収納部が形成されている。
【００８２】
なお、ディスプレイ６１の背面には、ディスプレイ基板６１ａが設けられ、ディスプレイ基板６１ａと、背面部材４２の前面の前記左右の飾り部材４２１、４２２とが背面部材４２を貫通するビスによりビス止めされることで、飾り部材４２１，４２２とディスプレイ基板６１ａ及びディスプレイ６１とが背面部材４２に固定されている。また、ディスプレイ６１は、横５ドット、縦７ドットの計３５ドットとなるようにＬＥＤを配列したドット表示型のディスプレイで、大当たり（特別遊技）中の演出表示を行う。また、この例のパチンコ遊技機では、特別遊技後に確率変動状態にならなかった場合に、所定回数（例えば、１００ゲーム）だけ時短状態の変動表示ゲームを行えるようになっており、時短状態となっている間、時短状態でゲームが行われる残りゲーム数を表示するものとなっている。
【００８３】
前記後板４２ｂは、上述の前板の長孔４２４，４２５，４２６に対応する位置に上述のように長孔が形成されるとともに、前記伝動ピン５３の先端部を案内するガイドとなる長孔４２８が形成され、長孔４２８の周囲は後方に筒状に突出した状態となっている。
また、前記後板４２ｂは、基板４３に搭載され、背面部材４２を介して可動演出部材４１を後方から照らして可動演出部材４１自体を発光させる第２の電気的発光部材となるＬＥＤ５１と前後に重なる位置に、光を拡散しないように貫通孔４２ｂ４，…が形成されている。
従って、可動演出部材４１を発光させるＬＥＤ５１の光は、背面部材４２を通過する際に、透明な前板４２ａだけを通過するようになっており、光を拡散する後板４２ｂによりＬＥＤ５１の光が拡散しないようになっている。
【００８４】
また、後板４２ｂの裏面には、カバー部材４５を固定するためのボスとして機能するとともに、背面部材４２と基板４３との間に所定の間隔を保持するためのスペーサとして機能する複数の円柱部４２７が後方に延出して設けられている。
なお、円柱部４２７は、その後端部がその前の部分より細くされることで段差が形成され、前記基板４３には、円柱部４２７の後端部より径が広く、円柱部４２７の上述の段差部分より径の狭い貫通孔４３ａが形成され、前記円柱部４２７により、背面部材４２の後板４２ｂと所定距離を開けて基板４３が配置されるようになっている。そして、基板４３の裏面側にカバー部材４５が円柱部４２７をボスとして取り付けられる。
【００８５】
前記背面部材４２と基板４３との間には、上述のように可動演出部材４１の上部可動部材４１１と下部可動部材４１２とを移動自在に背面部材に支持させるとともに、ソレノイド４４から伝動ピン５３を介して伝動される運動（左右へのスライド移動）を上述の上部可動部材４１１と下部可動部材４１２との移動に変換するためのリンク機構４６が形成されている。
リンク機構４６は、可動演出部材４１の上部可動部材４１１の背面から左右に互いに離間して後方に延出するように上部可動部材４１１に取り付けられた二本のピン４６１、４６２と、前から向かって左側のピン４６２に取り付けられた抜け止め部４６３と、前から向かって右側のピン４６１に取り付けられた第１回転片４６４とを備える。
【００８６】
また、リンク機構４６は、可動演出部材４１の下部可動部材４１２の背面から左右に互いに離間して後方に延出するように下部可動部材４１２に取り付けられた二本のピン４６５、４６６と、前から向かって左側のピン４６６に取り付けられた抜け止め部４６７と、前から向かって右側のピン４６５に取り付けられた第２回転片４６８と、抜け止め部４６７と、背面部材４２の後板４２ｂに形成された突起４２９との間に配置されたコイルスプリング（図示略）とを備える。
【００８７】
そして、上部可動部材４１１から後方に延出する二本のピン４６１，４６２が背面部材４２の前板４２ａ（及び後板４２ｂ）に形成された第１の長孔４２４に挿入されるとともに、ピン４６１に取り付けられた第１回転片４６４と、ピン４６２に取り付けられた抜け止め部４６３とがそれぞれ、ピン４６１，４６２が背面部材４２の第１の長孔４２４から抜けるの防止し、これら第１の長孔４２４に挿通されたピン４６１，４６２と、抜け止め部４６３及び第１回転片４６４とが上部可動部材４１１を背面部材４２に対してほぼ水平方向に沿って左右に移動自在に支持している。
なお、抜け止め部４６３及び第１回転片４６４には、ピン４６１，４６２の周囲を覆う筒状部を有し、該筒状部が第１の長孔４２４の内周面に摺動するようになっている。
【００８８】
また、第１回転片４６４は、その中央部が上側の第１の長孔４２４と後板４２ｂに形成されて伝動ピン５３のガイドとなる下側の長孔４２８との間に背面部材４２前面に対して直交するように取り付けられた固定ピン４６ａを回転中心として回動自在に支持されている。そして、一方の端部を上述のピン４６１に連結され、他方の端部には、伝動ピン５３が貫通する長孔が形成されている。そして、伝動ピン５３が左右に移動した際に、第１回転片４６４が左右に回転することで、第１回転片４６４の一方の端部が上述のピン４６１を左右に移動させ（実際には左右にスライド移動ではなく、僅かに円弧状となるように左右に移動させ）これにより上部可動部材４１１が左右に移動するようになっている。
【００８９】
そして、下部可動部材４１２から後方に延出する二本のピン４６５，４６６が背面部材４２の前板４２ａ（及び後板４２ｂ）に形成された第２及び第３の長孔４２５，４２６に挿入されるとともに、ピン４６５に取り付けられた第２回転片４６８と、ピン４６６に取り付けられた抜け止め部４６７とがそれぞれ、ピン４６５，４６６が背面部材４２の第２及び第３の長孔４２５，４２６から抜けるの防止し、これら第２及び第３の長孔４２５，４２６に挿通されたピン４６５，４６６と、抜け止め部４６７及び第２回転片４６８とが下部可動部材４１２を背面部材４２に対してほぼ回転可能に移動自在に支持している。
なお、抜け止め部４６７及び第２回転片４６８には、ピン４６５，４６６の周囲を覆う筒状部を有し、該筒上部が第２及び第３の長孔４２５、４２６の内周面に摺動するようになっている。
【００９０】
また、抜け止め部４６７は、上述のコイルスプリングにより上方に付勢されている。
また、第２回転片４６８は、その中央部が上側となる上述の後板４２ｂの長孔４２８と下側となる第２の長孔４２５との間に背面部材４２の前面に対して直交するように取り付けられた固定ピン４６ｂを回転中心として回動自在に支持されている。
また、第２回転片４６８は、中央部でく字状に屈曲するとともに中央部より下部と上部で前後二段となっており、下部が前方に配置され、上部が後方に配置されている。そして、第２回転片４６８の上部側の端部には、伝動ピン５３が挿通される長孔が形成されるとともに、第１回転片４６４の伝動ピン５３が挿通される長孔を有する端部と前後に重なった状態とされている。
そして、第２回転片４６８の下部側の端部を上述のピン４６５に連結されている。そして、伝動ピン５３が前からみて左から右に移動した際に、第２回転片４６８が回転することで、第２回転片４６８の下部側の端部が上述のピン４６５を前側から見て左上から右下に第２の長孔４２５に沿って移動させる。この際に、ピン４６６が第３の長孔４２６に沿うとともに、抜け止め部４６７に接続されたコイルスプリングの付勢力に抗して下側に移動し、これにより下部可動部材４１２が前から見て上部の左側を下方に円弧移動させるように下部可動部材４１２をほぼ回転移動させる。すなわち、下部可動部材４１２をお化け提灯の口が開くように移動させる。
【００９１】
また、伝動ピン５３が前から見て右から左に移動した際には、第２回転片４６８が回転することで、第２回転片４６８の下部側の端部が上述のピン４６５を前側から見て右下から左上に第２の長孔４２５に沿って移動させる。この際に、ピン４６６が第３の長孔４２６に沿うとともに、抜け止め部４６７に接続されたコイルスプリングの付勢された状態で上方に移動し、これにより下部可動部材４１２が前から見て上部の左側を上方に円弧移動させるように下部可動部材４１２をほぼ回転移動させる。すなわち、下部可動部材４１２をお化け提灯の口が閉じるように移動させる。なお、伝動ピン５３は、第１回転片４６４の端部の長孔及び第２回転片４６８の端部の長孔とを同時に貫通し、その先端部が、後板４２ｂの長孔４２８に挿入されて案内された状態となっており、伝動ピン５３の移動に基づくリンク機構４６の動作による上述の上部可動部材４１１の移動と、下部可動部材４１２の移動とが同期して同時に行われる。
【００９２】
前記基板４３には、前記可動演出部材４１の周囲を発光させるための第１の電気的発光部材である複数のランプ５２，…と、前記可動演出部材を発光させるための第２の電的発光部材である複数のＬＥＤ５１，…とが搭載されており、これらランプ５２，…とＬＥＤ５１とが可動演出部材４１の上述の背景領域を発光させる電気的発光部材となっている。また、基板４３上において、ランプ５２，…は、例えば、基板４３の上端部と、下端部と、右側縁部との３カ所に互いに所定間隔を設けて搭載されている。すなわち、これら三つのランプ５２，…は、背景領域を形成する背面部材４２の主に可動演出部材４１と前後に重ならない可動演出部材４１の周囲を面状に効率的に発光させるための間隔（所定間隔）を互いにあけるようにして配置されている。
【００９３】
また、ＬＥＤ５１，…は、例えば、可動演出部材４１自体を面状（立体的な可動演出部材４１の表面全体を立体に沿って面状）に効率的に発光させるための間隔（所定間隔）を互いにあけて例えば８個が基板４３上に配置されている。すなわち、基板２３は、背景領域を発光させるための電気的発光部材を、所定間隔を設けて複数搭載している。
また、ランプ５２，…は、上述のように基板４３の上端部、下端部、右側縁部といった基板４３の側縁部に配置されることで、基板４３と背面部材４２との間に配置されるリンク機構４６から背面部材の前面の面方向に間隔をあけた位置に配置され、リンク機構４６に邪魔されずにリンク機構４６と前後位置が重なるように配置されている。また、リンク機構４６と離れていることから、リンク機構４６に光を遮られることなく、後方から背面部材４２に光を照射するようになっている。
【００９４】
また、ＬＥＤ５１，…は、リンク機構４６が可動演出部材４１と前後に重なる位置に配置されていることから、リンク機構４６に近接して配置されるが、リンク機構４６の各部材の位置、移動する部材は移動範囲を避けてリンク機構４６に近接して配置される。また、ＬＥＤ５１，…は、その発光部となるＬＥＤ本体（ＬＥＤのリード線を除いた部分、発光素子とその周囲に配置されたレンズ状の透明容器の部分）を基板４３の表面から表面側（背面部材４２側）に所定間隔設けた位置に配置するための円柱状の立設部５１ａを有する。この立設部５１ａにより、ＬＥＤ５１，…のＬＥＤ本体、すなわち、ＬＥＤ５１，…の先端部の前後位置がリンク機構４６とほぼ同じもしくはリンク機構４６の後述する主要部より僅かに前にでるようになっている。この例においては、背面部材４２の後板４２ｂのＬＥＤ５１，…と前後に重なる位置に形成された貫通孔４２ｂ４、…内に、ＬＥＤ５１，…の先端部が挿入されるようになっており、リンク機構４６の主要部（ここでは、リンク機構４６の各ピン４６１，４６２，４６５，４６６及び固定ピン４６ａ、４６ｂを除く、第１回転片４６４，第２回転片４６８，抜け止め部４６３，４６７、コイルスプリング等）よりＬＥＤ５１，…の先端部（発光するＬＥＤ本体の一部もしくは前部）の方が前に配置されている。
【００９５】
このような構成により、後方から可動演出部材４１を発光させるＬＥＤ５１，…を搭載した基板４３より前に、可動演出部材４１を可動させるためのリンク機構４６があっても、ＬＥＤ５１，…本体の少なくとも一部をリンク機構４６の主要部より前に配置して、リンク機構４６に影響を受けずに効率的に可動演出部材４１を発光させることができる。
また、立設部５１ａ，…のうちのリンク機構４６の上と右側とにほぼ一列に並んで配置された立設部５１ａ，…は、複数の互いに隣接する立設部５１ａを連結するとともに、一列に並んだ複数の立設部５１ａを連続的につなぐ連結壁５１ｂにより連結された状態なっている。すなわち、連結壁５１ｂには、互いに間隔をあけて複数のＬＥＤ５１，…が配置され、連結壁５１ｂのＬＥＤ５１，…の配置される部分が立設部５１ａ，…とされ、連結壁５１ｂと、立設部５１ａ，…とが一体的に形成されている。なお、連結壁５１ｂの高さは、立設部５１ａとほぼ同じ高さとなっている。また、立設部５１ａの先端部とＬＥＤ５１，…の本体とが接着されて一体とされることにより、連結壁５１ｂにより複数のＬＥＤ５１，…が一体的に構成されている。
【００９６】
また、リンク機構４６の上側に水平方向にほぼ沿って並んだＬＥＤ５１，…（立設部５１ａ，…）からリンク機構４６の右側に上下方向に沿って並んだＬＥＤ５１，…（立設部５１ａ，…）までを連結する連結壁５１ｂは、リンク機構４６より上側の最も右のＬＥＤ５１とリンク機構４６より右側の最も上側のＬＥＤ５１との間が屈曲（湾曲）した状態となっている。そして、連結壁５１ｂは、動力変換手段であるリンク機構４６の上側から右側にかけた外側所定範囲を囲った状態となっている。
すなわち、この例においては、前記基板４３を前記背面部材４２の裏面に所定間隔を設けて配設し、前記電気的駆動源（ソレノイド４４）からの動力を可動演出部材４１の動作に対応して変換する動力変換手段（リンク機構４６）を前記背面部材４２と前記基板４３の間に設け、前記基板４３に搭載される所定数の電気的発光部材（ＬＥＤ５１…）は、その発光部（ＬＥＤ本体）を該基板４３の表面から表面側に所定間隔設けた位置にするための立設部５１ａを有し、隣設した立設部５１ａを所定高さの連結壁５１ｂにより連結させることで、前記所定数の電気的発光部材（ＬＥＤ５１…）を一体的に構成し、前記連結壁５１ｂにより、前記動力変換手段（リンク機構４６）の外側所定範囲を囲うようになっている。
【００９７】
すなわち、リンク機構４６の上側及び右側が連結壁５１ｂに囲まれて保護されている。
また、連結壁５１ｂの基部に前記基板４３の前面と面接触する取付板部材５１ｃが備えられている。そして、連結壁５１ｂの基部に基板４３の前面と面接触する取付板部材５１ｃが設けられるとともに、連結壁５１ｂが上述のように屈曲していることから、連結壁５１ｂに外力が作用しても連結壁５１ｂは基板２３に対して倒れないようになっている。なお、基板４３には、図９に示す複数の位置決め孔５１ｅ，５１ｅが形成され、連結壁５１ｂ及び取付板部材５１ｃには、前記位置決め孔５１ｅ，５１ｅに挿入される図示しない位置決め突起が形成されている。従って、上述のように連結壁５１ｂにより一体化された複数のＬＥＤ５１，…は、連結壁５１ｂ及び取付板部材５１ｃを基板４３に取り付けることで、一度に基板４３に取付可能で、かつ、上述の位置決め突起により基板４３に位置決めして取付可能となっており、基板４３へのＬＥＤ５１，…の搭載を容易なものとしている。
【００９８】
また、ＬＥＤ５１，…のうちのリンク機構４６の左側に配置される複数（例えば三つ）のＬＥＤ５１、…は、円柱状の立設部５１ａにより上述のように基板４３表面から表面側に所定間隔設けて配置されている。しかし、これらＬＥＤ５１及び立設部５１ａは、図示しないコイルスプリングを間に挟むように配置されることから、連結壁により隣接する立設部５１ａが一体的には連結されていない。しかし、これら立設部５１ａは、基板４３の前面と面接触する連結取付板部材５１ｄにより一体的に接続された状態となっており、立設部５１ａが倒れることなく、基板４３に接合されるようになっている。なお、連結取付板部材５１ｄは、三角形状に形成され、各頂点部分に立設部５１ａが配置されるとともに、頂点同士の間に上述のコイルスプリングが配置される。また、連結取付板部材５１ｄにも複数の位置決め突起が設けられ、前述の位置決め孔５１ｅ，５１ｅとは、別に形成された複数の位置決め孔５１ｅ，５１ｅに挿入されて位置決めされる。このような連結取付板部材５１ｄによっても、複数のＬＥＤ５１，…を一度に位置決めした状態で基板４３に搭載可能となり、ＬＥＤ５１，…の搭載を容易なものにできる。
【００９９】
また、基板４３には、上述の伝動ピン５３を貫通させる開口部４３ｂが形成されている。該開口部４３ｂは、伝動ピン５３の可動範囲より広い形状に形成されるとともに、上述のリンク機構４６の後方に突出する部分を含む形状に形成されている。すなわち、基板４３の開口部４３ｂを、前記動力伝達部材（伝動ピン５３）の可動範囲、及び前記動力変換手段（リンク機構４６）における所定の変換機構部の配置空間、の各々を確保する形状に形成している。
これにより、基板４３にソレノイド４４から可動演出部材４１にリンク機構４６を介して動力を伝達する伝動ピン５３を挿通させ、基板４３より後方にソレノイド４４を配置できるとともに、リンク機構４６の最も後方に突出する部分を開口部４３ｂ内に収納した状態として、基板４３の前面をリンク機構４６の最も後方に突出する部分より前に配置することが可能となり、演出装置４０の小型化を図ることができる。また、リンク機構４６の背面側に配置される基板４３に搭載されたＬＥＤ５１，…及びランプ５２，…（ここでは、主に、立設部５１ａにより基板４３から前方に離間して配置されたＬＥＤ５１，…ではなくランプ５２，…）を背面部材４２に近づけることができる。
基板４３には、配線接続用のコネクタ部４３ｃが設けられている。
【０１００】
カバー部材４５は、基板４３の裏面側に配置され、前記背面部材４２の裏面を覆っている。すなわち、背面部材４２とカバー部材４５との間にＬＥＤ５１，…、ランプ５２，…を搭載した基板４３、リンク機構４６、ドット表示型のディスプレイ６１が搭載されたディスプレイ基板６１ａが配置され、これらの部材の後方がカバー部材４５に覆われて保護されている。
カバー部材４５には、背面部材４２の後板４２ｂに設けられて後方に延出する円柱部４２７をボスとして、円柱部４２７の後端部にビスを螺合する際のビス穴４５ａ，…が形成されており、カバー部材４５の背面側からビス穴４５ａ，…を介して円柱部４２７にビスを螺合することで、背面部材４２にカバー部材４５を取り付けるようになっている。なお、ビス穴４５ａの周囲は、前方に円筒状に突出した状態となっている。また、図８に示すように、複数のビス穴４５ａ，…の一部をビス穴４５ａに変えて位置決め突起４５ａ１とし、複数の円柱部４２７のうちの一部の円柱部４２７のビスを螺合するための穴に位置決め突起を挿入させて位置決めするようにしても良い。
【０１０１】
カバー部材４５の背面には、上述のソレノイド４４を取り付ける位置の上下にそれぞれ水平に後方に延出する取付板４５ｂ，４５ｂが設けられ、これら取付板４５ｂ，４５ｂの間にソレノイド４４が配置され、ソレノイド４４が取付板４５ｂ，４５ｂに取り付けられることで、カバー部材４５に固定されている。
カバー部材４５には、上側の取付板４５ｂの上方に伝動ピン５３を挿通させるためのカバー部材開口部４５ｃが形成されている。なお、開口部４５ｃは、基板４３の伝動ピン５３を挿通させる開口部４３ｂと前後に重なる位置に配置され、伝動ピン５３の可動範囲より広い形状となっている。すなわち、伝動ピン５３は、カバー部材４５の開口部４５ｃと基板４３の開口部４３ｂとを挿通して、背面部材４２の背面に設けられたリンク機構４６の第１回転片４６４の端部の長孔及び第２回転片４６８の端部の長孔に挿入されるようになっている。
【０１０２】
カバー部材４５の前から見て左側部には、カバー部材４５の左側縁部に沿うとともに、前方（背面部材４２側）に突出する左側板部４５ｄが形成されている。カバー部材４５の左側板部４５ｄは、背面部材４２の左側板部４２ａ１，４２ｂ１と所定間隔をあけて対向して配置されている。カバー部材４５の左側板部４５ｄと、背面部材４２の左側板部４２ａ１，４２ｂ１との間の間隔は、上述の前後に重なった裏面枠３０の右側縁部とカバー板２９の右側縁部とを合わせた厚さより僅かに広くされている。
そして、カバー部材４５の左側板部４５ｄと、背面部材４２の左側板部４２ａ１，４２ｂ１との間の部分が、演出装置４０の左側面に上下に延在して形成された溝部４０ａとなり、この溝部４０ａに前後に重なった裏面枠３０の右側縁部とカバー板２９の右側縁部とが一緒に挿入された状態となっている。これにより、本体枠２２の内側で左右に並んだ状態に配置されるカバー板２９及び裏面枠３０と、演出装置４０との間に隙間が生じないようになっている。
また、演出装置４０は、上述の演出装置４０の上下面に形成されるガイド５５，５５を本体枠２２の後部枠２２ａに形成されたスリット２２ｇ、２２ｇに挿入することで、位置決めされるとともに左右への移動が規制され、前記溝部４０ａに右側縁部を挿入されたカバー板２９及び裏面枠３０を本体枠２２に固定することで、演出装置４０の前後移動が規制される。このような構成によって、演出装置４０が本体枠２２に固定されるようになっている。
【０１０３】
なお、カバー板２９や裏面枠３０が演出装置４０の後方を覆うような構成とすると、演出装置４０の前後の厚みが制限されてしまうが、上述のように演出装置４０の背面側がカバー板２９や裏面枠３０に覆われていないことで演出装置４０を厚くすることができ、演出装置４０内に可動演出部材４１、リンク機構４６、ＬＥＤ５１，…、ランプ５２，…を搭載した基板４３、カバー部材４５、ソレノイド４４を前後に重ねて配置することができる。この際に、上述のように演出装置４０の側面の溝部４０ａに上述のようにカバー板２９及び裏面枠３０の側縁部を挿入することで、カバー板２９及び裏面枠３０と、演出装置４０との間の隙間もしくはこれらをつなぐ接合部等が見えてしまうのを防止できる。
【０１０４】
また、カバー部材４５の左側板部４５ｄには、前述の裏面枠３０の右側縁部に形成された係合部３０ｈと係合する係合部４５ｅが形成されている。なお、カバー部材４５の係合部４５ｅは、左側板部４５ｄの側縁から左に突出する突条とされ、裏面枠３０の係合部３０ｈは、突条である係合部４５ｅの上下端部及び裏面（外面の一部）を覆う形状とされている。
また、左側板部４５ｄには、基板４３のコネクタ部４３ｃに接続された配線を裏面枠３０の後方側に引き出すための切欠部４５ｆが形成されている。
【０１０５】
また、カバー部材４５の水平な上側縁部と下側縁部とには、水平に延在するとともに前方に突出する上板部４５ｇと下板部４５ｈとがカバー部材４５本体と一体に形成されている。そして、上板部４５ｇと下板部４５ｈとの前端面は、遊技盤１の前面に対して平行で、かつ、カバー部材４５本体（カバー部材４５の背面）に対しては、上述の演出装置４の傾斜角に対応した角度で斜めとなっている。そして、カバー部材４５を背面部材４２に取り付ける際に、カバー部材４５の上板部４５ｇ及び下板部４５ｈの前端面と、上述のように背面部材の前面に対して斜めとなった背面部材４２（後板４２ｂ）の上板部４２ｂ２及び下板部４２ｂ３の後端面とを突き合わせるようになっているが、これらを突き合わせた状態で、カバー部材４５の背面と、背面部材４２の前面とがほぼ平行となる。すなわち、背面部材４２にカバー部材４５を取り付けた際には、背面部材４２の前面に対してカバー部材４５の背面が平行となる。これにより、上述のように本体枠２２、カバー板２９、裏面枠３０等に対して斜めに取り付けられる演出装置４０において、カバー板２９及び裏面枠３０に沿った溝部４０ａを背面部材４２とカバー部材４５との間に形成できるとともに、背面部材４２の前面に取り付けられる可動演出部材４１とカバー部材４５に取り付けられるソレノイド４４の取付角を容易に合わせることができる。
【０１０６】
更に、カバー部材４５において、上板部４５ｇ及び下板部４５ｈの上述のようにカバー部材４５の裏面に対して斜めとなった前端面と後述する右側板部４５ｉの前端面とが最も前に配置されるが、これらの前端面は、カバー部材４５の背面に対して斜めとなることで、本体枠２２（後部枠２２ａ）の後端面とほぼ平行となっており、本体枠２２の後端面の後に配置されるようになっている。また、演出装置４０の溝部４０ａを形成するカバー部材４５の左側板部４５ｄの前端面は、カバー板２９、裏面枠３０より後となっている。
従って、カバー部材４５を後方に移動させる場合に、本体枠２２、裏面枠３０及びカバー板２９と干渉する部分がなく（実際には、カバー部材４５の係合部４５ｅが裏面枠３０の係合部３０ｈに干渉するが後述するように容易に外れるようになっている）、演出装置４０、カバー板２９、裏面枠３０を本体枠２２に取り付けた状態で、背面部材４２からカバー部材４５を取り外すことにより、本体枠２２からカバー部材４５だけを取り外すことが可能となっている。これにより、メンテナンス性が向上する。なお、上述のようにカバー部材４５だけを取り外す際に、カバー部材４５の係合部４５ｅを裏面枠３０の係合部３０ｈから引抜くようにするだけで、カバー部材４５の係合部４５ｅと裏面枠３０の係合部３０ｈとの係合を解除できる。
【０１０７】
また、カバー部材４５の右側縁部には、右側縁部に沿って前方に突出する右側板部４５ｉが形成されている。なお、右側板部４５ｉは、演出装置４０の右側面全体を覆うようにはなっておらず、演出装置４０の右側面において、図６及び図７に示すようにカバー部材４５と背面部材４２との間に大きな隙間が設けられている。すなわち、上述のように本体枠２２からカバー部材４５だけを取り外せるように、右側板部４５ｉの前端面が上板部４５ｇ及び下板部４５ｈの前端面とほぼ同じ平面上（本体枠の後端面の後）に配置さるようになっており、これにより、上述の隙間が生じる。なお、これにより、リンク機構４６の右側がカバーされず、リンク機構４６の可動を妨げるほこり等が侵入しやすい状態となるが、リンク機構４６の上及び右側は、連結壁５１ｂにより覆われた状態となっており、リンク機構４６へのほこり等の侵入が防止されている。なお、演出装置４０を本体枠２２に収納した状態では、演出装置４０の右側面の上述の隙間は、本体枠２２の演出装置囲い壁２２ｃに覆われる。
また、カバー部材４５には、背面部材４２（後板４２ｂ）に取り付けられたディスプレイ６１を搭載するディスプレイ基板６１ａの配線をカバー部材４５後方に引き出すための開口部４５ｊが形成されている。
【０１０８】
ソレノイド４４は、ヨーク４４ａに上下左右を囲まれたコイル４４ｂと、コイル４４ｂ内に左右に移動自在に取り付けられたプランジャ４４ｃとを有するソレノイド本体と、前記プランジャ４４ｃに左右端部を固定されるとともに上述の伝動ピン５３が取り付けられた駆動部材４４ｄとを備えている。
ソレノイド４４は、ヨーク４４ａが、カバー部材４５の取付板４５ｂ，４５ｂに締結されることで、カバー部材４５に固定されるとともに、プランジャ４４ｃの移動方向がカバー部材４５の背面に平行で、かつ、ほぼ水平となっている。前記駆動部材４４ｄは、ソレノイド本体の左側面、上面、右側面を囲むコ字状に形成され、左右の端部がそれぞれプランジャ４４ｃの左右両端部に接続されている。更に、駆動部材４４ｄの上部のほぼ中央部にプランジャ４４ｃ及びカバー部材４５の背面に直交する方向に伝動ピン５３が取り付けられており、駆動部材４４ｄは、伝動ピン５３をソレノイド４４に取り付ける機能を有する。
【０１０９】
従って、駆動部材４４ｄは、ソレノイド本体のプランジャ４４ｃと一体に左右に移動するとともに、それによってプランジャ４４ｃと直交する方向に沿った伝動ピン５３を左右に移動させる伝動機能を有する。また、ソレノイド本体の左右を囲んだ状態の駆動部材４４ｄは、ストッパとしても機能し、プランジャ４４ｃの移動範囲を規制し、プランジャ４４ｃの移動範囲を可動演出部材４１のリンク機構４６を介した動作範囲に対応したものとしている。
【０１１０】
そして、このような駆動部材４４ｄが背面に取り付けられたカバー部材４５を、前面に可動演出部材４１が取り付けられるとともに背面にリンク機構４６が取り付けられた背面部材４２に、間にＬＥＤ５１，…、ランプ５２，…が搭載された基板４３を挟んだ状態で、取り付けることにより、演出装置４０が形成される。そして、図１０に示すように演出装置４０は、上述のように遊技盤１の正面よりも表示用開口部３０ａ側に傾斜した状態で取り付けられ、これにより演出装置４０の正面に取り付けられた可動演出部材４１も正面を向いた状態から表示用開口部３０ａ（表示画面４ｇ）側に傾斜した状態となる。すなわち、前記可動演出部材４１は、前記凹室２０ａ内であって前記表示用開口部３０ａの側部に配設されるとともに、該表示用開口部３０ａ側に傾斜して取り付けられる。
【０１１１】
また、変動表示装置４においては、上述のような演出装置４０を備えた前面構成部材２０が遊技盤１の前面側から、遊技盤１に形成された取付開口部に本体枠２２の後部枠２２ａを挿入させた状態で、本体枠２２の取付基板２１が遊技盤１の取付開口部の周囲にビスにより固定されることで遊技盤１に取り付けられている。
一方、変動表示装置４の表示装置本体４ａは、表示装置取付部材４ｄにより、表示画面４ｇと前面構成部材の表示用開口部３０ａとが重なり、表示画面４ｇが凹室２０ａの底面となるように、遊技盤１の裏面側から遊技盤１の裏面に取り付けられる。
【０１１２】
このような演出装置４０を含む変動表示装置４における演出表示の一例を以下に説明する。
例えば、表示装置本体４ａの表示画面４ｇに、変動表示ゲームが開始されて、識別図柄が変動表示されている際に、いわゆるリーチ予告キャラクタ（ここでは例えば人魂）が登場し、表示画面４ｇの左側下部の演出用レンズ部材２７の始点側端部に近接する位置に移動する。
すなわち、演出用レンズ部材２７の最も始点側のキャラクタ部２７ｃ（表示画面４ｇ上のリーチ予告キャラクタとほぼ同じ形状でほぼ同じ大きさ）に近接する。次に、表示画面４ｇのリーチ予告キャラクタが消えるのとほぼ同時に、最も始点側のキャラクタ部２７ｃを後方から照らすＬＥＤが点灯し、始点側の一つのキャラクタ部２７ｃが発光する。次に、最も始点側のキャラクタ部２７ｃを照らすＬＥＤが消灯するのとほぼ同時に前記キャラクタ部２７ｃの（終点側に向かって）隣のキャラクタ部２７ｃを照らすＬＥＤが点灯し、隣の少し大きなキャラクタ部２７ｃが発光する。
【０１１３】
そして、始点側からキャラクタ部２７ｃを照らすＬＥＤが消灯するのとほぼ同時に、当該キャラクタ部２７ｃの終点側の隣のキャラクタ部２７ｃを照らすＬＥＤが点灯することを繰り返し、始点側から終点側に向かって、キャラクタ部２７ｃが順次発光した後に消灯することを繰り返し、最後に最も終点よりのキャラクタ部２７ｃが発光する。
これにより、表示画面４ｇ上のリーチ予告キャラクタが表示画面４ｇから表示画面４ｇの左下に飛び出し、順次上昇しながら表示画面４ｇの右上の可動演出部材４１の近傍に移動するとともに、リーチ予告キャラクタが順次大きくなるように見える演出を行うことができる。
【０１１４】
一方、演出装置４０においては、例えば、背面部材４２の可動演出部材４１の周囲を発光させる基板４３のランプ５２、…が変動表示ゲーム開始時から点灯した状態とされ、背面部材４２が発光した状態とされる。そして、上述のように
最後に最も終点よりのキャラクタ部２７ｃが発光した後に、ソレノイド４４の駆動部材４４ｄ（プランジャ４４ｃ）が前から向かって左から右に移動することにより、カバー部材４５及び基板４３を貫通した伝動ピン５３が右に移動する。これにより、リンク機構４６が作動し、伝動ピン５３が左から右に移動する前に口を閉じた状態のお化け提灯を示す可動演出部材４１の上部可動部材４１１を右から左に移動して、最も終点側の発光しているキャラクタ部２７ｃに近づけるとともに、下部可動部材４１２の左側上部が右から左に移動するとともに上から下に移動するように、下部可動部材４１２がほぼ回転移動することで、可動演出部材４１であるお化け提灯の口が開いた状態となる。
【０１１５】
次に、最も終点側の発光しているキャラクタ部２７ｃを照らすＬＥＤが消灯してキャラクタ部２７ｃの発光が終了するのとほぼ同時に、可動演出部材４１（口をあけた状態のお化け提灯）を照らすＬＥＤ５１，…が点灯し、可動演出部材４１が発光する。これにより、お化け提灯の近傍に移動した人魂を、口を開けたお化け提灯が吸い込んだ状態を示す演出となる。
次に、ＬＥＤ５１，…が点灯した状態で、ソレノイド４４の駆動部材４４ｄが右から左に戻るように移動することにより、伝動ピン５３が右から左に移動し、これによりリンク機構４６を介して、上部可動部材４１１が左から右に移動し、下部可動部材４１２の左側上部が左から右に移動するとともに、下から上にあがるように下部可動部材がほぼ回転移動し、発光した状態の可動演出部材４１が示すお化け提灯が口を閉じて、お化け提灯が人魂を飲み込んだ演出となる。
【０１１６】
以上のようにこの実施例のパチンコ遊技機１００においては、可動演出部材４１を動作させるとともに、可動演出部材４１自体及びその周囲をＬＥＤ５１，…、ランプ５２，…等により発光させることができ、上述のような高度な演出表示を行うことが可能となる。
すなわち、遊技領域１ａが形成された遊技盤１に、変動表示ゲームを表示する変動表示装置４を配設した弾球遊技機（パチンコ遊技機１００）において、前記変動表示装置４は、表示部（表示画面４ｇ）を有する表示装置本体４ａと、前記表示装置本体４ａの前面側に配設されるとともに前記表示部が臨む表示用開口部３０ａを有し、前記変動表示ゲームに関連した演出を行う演出装置４０を配設した前面構成部材２０とから構成され、前記演出装置４０は、前記変動表示ゲームに関連した演出動作を行う可動演出部材４１と、前記可動演出部材４１が動作可能に取り付けられるとともに該可動演出部材４１の背景領域を形成する背面部材４２と、前記背景領域を発光させるための電気的発光部材（ＬＥＤ５１、ランプ５２）を、所定間隔を設けて複数搭載した基板４３と、前記背面部材４２の裏面側に配設されるとともに動力伝達部材（伝動ピン５３）を介して前記可動演出部材４１を駆動させる電気的駆動源（ソレノイド４４）とを具備し、前記基板４３に開口部４３ｂを形成して、該開口部４３ｂに前記動力伝達部材を通すことで、該基板４３を前記背面部材４２の裏面側であって前記電気的駆動源よりも前方に配設している。
【０１１７】
従って、この例の弾球遊技機によれば、変動表示ゲームを行う変動表示装置４の前面構成部材２０に変動表示ゲームに関連した演出動作を行う可動演出部材４１を備えた演出装置４０を設け、演出装置４０に可動演出部材４１の後方となる背景領域を発光させるＬＥＤ５１、ランプ５２を複数搭載した基板４３を備えるので、発光する可動演出部材４１により変動表示ゲームの演出効果を高めることができ、変動表示ゲームの興趣を高めることができる。
また、ＬＥＤ５１、ランプ５２等を搭載した基板４３に開口部４３ｂを形成して、該開口部４３ｂに伝動ピン５３を通すことで、該基板４３を前記背面部材４２の裏面側であって前記ソレノイド４４よりも前方に配設したことにより、可動演出部材４１に対してＬＥＤ５１、ランプ５２等を近い位置に配設することができるので、可動演出部材４１の周囲或いは可動演出部材４１自体を効率よく照らすことができ、可動演出部材４１の視認性および装飾性を向上させ、演出効果を更に高めることができる。
また、ソレノイド４４をＬＥＤ５１、ランプ５２等を搭載した基板４３の裏面に備えても、その動力の伝達は開口部４３ｂを介して何ら問題なく行えるし、位置的にソレノイド４４からの熱が放出し易くなる。
【０１１８】
また、複数のＬＥＤ５１、ランプ５２等を搭載した基板４３を備えたことにより、発光効果を高めることができるとともに、その取付作業を容易にしたり、取付位置を正確にしたりできる。また、リード線を省けるので、ソレノイド４４に関連した作動部にリード線が絡まってしまうといった配線に関する課題を解決できる。
【０１１９】
また、前記背面部材４２および前記可動演出部材４１の各々は透光性を有する合成樹脂で構成され、前記電気的発光部材（ＬＥＤ５１、ランプ５２）は、前記可動演出部材４１の周囲を発光させるための第１の電気的発光部材（ランプ５２）と、前記可動演出部材４１自体を発光させるための第２の電気的発光部材（ＬＥＤ５１）を含んでいる。
【０１２０】
従って、可動演出部材４１の周囲および可動演出部材４１自体を照らすためには、複数の電気的発光部材（ＬＥＤ５１、ランプ５２）を広範囲に配設する必要があるが、その取付に関しても何ら問題なく行うことができる。すなわち、上述のように複数のＬＥＤ５１、ランプ５２は基板４３に搭載されるので、取付作業が容易となるとともに、基板４３に伝動ピン５３を通す開口部４３ｂを設けることで、基板４３をソレノイド４４より前方の配置できる。
また、背面部材４２が透光性を有することにより、可動演出部材４１とＬＥＤ５１との間に背面部材４２が配置されても、可動演出部材４１を光らせることができる。
【０１２１】
また、前記演出装置４０には、前記基板４３の裏面側に前記背面部材４２の裏面を覆うカバー部材４５を備え、前記カバー部材４５には前記基板４３の開口部４３ｂと連通するカバー部材開口部４５ｃが形成され、前記伝動ピン５３を該開口部４３ｂおよびカバー部材開口部４５ｃに通した状態で、当該カバー部材４５の裏面部に前記電気的駆動源（ソレノイド４４）を取り付けている。
【０１２２】
従って、前記基板４３の裏面側に前記背面部材４２の裏面を覆うカバー部材４５を備えたので、伝動ピン５３と可動演出部材４１のリンク部（リンク機構４６）や基板４３の裏面を保護することができ、遊技球やリード線等が接触することで発生する各種可動部材の動作不良、基板４３のショートなどを防止することができる。
また、ソレノイド４４をカバー部材４５の裏面に備えても、その動力の伝達は開口部４３ｂおよびカバー部材開口部４５ｃを介して何ら問題なく行えるし、ソレノイド４４がカバー部材４５の外側となることから位置的にソレノイド４４からの熱が放出し易くなる。
また、可動演出部材４１及び背面部材４２の裏面側に基板４３とソレノイド４４とを前後に重ねて配置する際に、基板４３より後方で背面部材４２の裏面を覆うカバー部材４５の裏面部にソレノイド４４を取り付けるようにすることで、ＬＥＤ５１、ランプ５２を搭載した基板４３の裏面側にソレノイド４４を容易に取り付けることができる。
【０１２３】
また、前記前面構成部材２０は、前記表示用開口部３０ａよりも広く前面側に開口した凹室２０ａを形成可能に構成され、前記可動演出部材４１は、前記凹室２０ａ内であって前記表示用開口部３０ａの側部に配設されるとともに、該表示用開口部３０ａ側に傾斜して取り付けられる。
従って、可動演出部材４１を凹室２０ａ内の表示用開口部３０ａの側部に配設したことにより、変動表示ゲームの可動演出部材４１による演出を表示画面４ｇから近い位置で効率よく行える。
また、可動演出部材４１の裏面にＬＥＤ５１、ランプ５２等を配設する場合に、ＬＥＤ５１、ランプ５２の配設位置を避けるために、ソレノイド４４を可動演出部材４１の裏面ではなく、左右方向や上下方向にずらして取り付けることも考えられるが、このようにした場合には、演出装置４０自体が大きくなってしまい可動演出部材４１を凹室２０ａ内に配設することが困難となってしまうが、ソレノイド４４とＬＥＤ５１、ランプ５２等を搭載した基板４３を可動演出部材４１の裏面に何ら問題なく配設できるので、可動演出部材４１を凹室２０ａ内に確実に配設することができる。
【０１２４】
また、可動演出部材４１が該表示用開口部３０ａ側に傾斜して取り付けられることにより、正面から見た場合の可動演出部材４１の面積を減少させて、より凹室２０ａ内に納めやすくなるとともに、可動演出部材４１を傾斜させることにより、遊技者は可動演出部材４１を斜めから見ることになり、正面から見た場合より立体感が高くなるとともに、可動演出部材４１が背面部材４２の前面に沿って平面的に移動するものとしても、遊技者には斜めに立体的に移動することになり、より立体感が高くなる。従って、演出効果を高めることができる。
【０１２５】
また、前記基板２３を前記背面部材４２の裏面に所定間隔を設けて配設し、前記電気的駆動源（ソレノイド４４）からの動力を可動演出部材４１の動作に対応して変換する動力変換手段（リンク機構４６）を前記背面部材４２と前記基板４３の間に設け、前記基板４３に搭載される所定数の電気的発光部材（ＬＥＤ５１）は、その発光部（ＬＥＤ本体）を該基板４３の表面から表面側に所定間隔設けた位置にするための立設部５１ａを有し、隣設した立設部５１ａを所定高さの連結壁５１ｂにより連結させることで、前記所定数の電気的発光部材を一体的に構成し、前記連結壁５１ｂにより、前記動力変換手段の外側所定範囲を囲うようにしている。
【０１２６】
従って、ＬＥＤ５１の立設部５１ａによりＬＥＤ本体を可動演出部材４１の位置に更に近づけることができ、発光効果を更に高めることができる。すなわち、記ソレノイド４４からの動力を可動演出部材４１の動作に対応して変換するリンク機構４６を前記背面部材４２と前記基板４３の間に設けることにより、基板４３がリンク機構４６より後方となっても、ＬＥＤ５１の発光部となるＬＥＤ本体をリンク機構４６の主要部と同じ前後位置もしくはリンク機構４６の主要部より前方に配置できる。これにより、ＬＥＤ５１の発光がリンク機構４６により遮られたりすることがなく、効率的に可動演出部材４１を発光させることができる。また、言い換えれば、立設部５１ａや連結壁５１ｂにより、ＬＥＤ５１を背面部材４２から遠ざけることなく、背面部材４２と基板４３との間にリンク機構４６を配置する空間を形成することができる。
【０１２７】
また、連結壁５１ｂにより連結されて所定数のＬＥＤ５１が立設部５１ａを介して一体的に構成されているので、立設部５１ａにＬＥＤ５１が取り付けられた状態で、連結壁５１ｂで連結された複数のＬＥＤ５１を一度に基板４３に搭載することができ、ＬＥＤ５１の基板４３への取付作業性を向上させることができる。
また、連結壁５１ｂにより連結されて所定数のＬＥＤ５１が一体的に構成されているので、所定高さとなっているＬＥＤ５１が基板４３に対して倒れてしまうことを防止できる。
また、所定数のＬＥＤ５１を連結する連結壁５１ｂにより、リンク機構４６の外側所定範囲を囲うようにしたので、リンク機構４６に何らかの物（パチンコ球、リード線、ほこりなど）が接触して動作不良を起こしたりすることを防止できる。
【０１２８】
また、前記連結壁５１ｂを屈曲させたことにより、リンク機構４６を囲う範囲を広げることができ、また、効率よく囲うことが可能となる。また、連結壁５１ｂが屈曲していることにより、一体的となっているＬＥＤ５１，…が基板に対して倒れてしまうのを更に防止できる。
また、前記連結壁５１ｂの基部に前記基板４３と面接触する取付板部材５１ｃを備えたことにより、一体的となっているＬＥＤ，…が基板４３に対して倒れてしまうのを更に防止できる。また、ＬＥＤ５１，…の基板４３への取付性を更に向上できる。
【０１２９】
また、前記基板４３を前記背面部材４２の裏面に所定間隔を設けて配設し、前記電気的駆動源（ソレノイド４４）からの動力を可動演出部材４１の動作に対応して変換する動力変換手段（リンク機構４６）を前記背面部材４２と前記基板４３の間に設け、前記基板４３の開口部４３ｂを、前記動力伝達部材（伝動ピン５３）の可動範囲、及び前記動力変換手段における所定の変換機構部の配置空間、の各々を確保する形状に形成したので、基板４３を背面部材４２に近づけることができるとともに、伝動ピン５３の伝達動作及びリンク機構４６の変換動作を確実に行える。すなわち、リンク機構４６に含まれる変換機構部によっては、前後方向に大きな厚みが必要な部分があり、最も厚い部分にあわせて基板４３を配置すると基板４３の配置位置が後方になるが、最も厚い部分と開口部４３ｂが重なるように開口部４３ｂを形成すれば、リンク機構４６の動作を妨げることなく基板４３をより前方に配置して背面部材４２に近づけることができる。
【０１３０】
なお、本発明はこの実施の形態のパチンコ遊技機に限られるものではなく、例えば、その他のパチンコ遊技機、アレンジボール遊技機、雀球遊技機などの弾球遊技機にも適用可能である。
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１３１】
【発明の効果】
本発明によれば、変動表示ゲームを行う変動表示装置の前面構成部材に変動表示ゲームに関連した演出動作を行う可動演出部材を備えた演出装置を設け、演出装置に可動演出部材の後方となる背景領域を発光させる電気的発光部材を複数搭載した基板を備えるので、発光する可動演出部材により変動表示ゲームの演出効果を高めることができ、変動表示ゲームの興趣を高めることができる。
【図面の簡単な説明】
【図１】本発明に係る弾球遊技機の適例としてのパチンコ遊技機が備える遊技盤を示す正面図である。
【図２】上記パチンコ遊技機の変動表示装置を示す正面図である。
【図３】上記変動表示装置の前面構成部材を斜め前方から見た斜視図である。
【図４】上記前面構成部材を斜め後方から見た斜視図である。
【図５】上記前面構成部材を示す展開斜視図である。
【図６】上記前面構成部材の演出装置を斜め前方から見た斜視図である。
【図７】上記演出装置を斜め後方から見た斜視図である。
【図８】上記演出装置を斜め前方から見た展開斜視図である。
【図９】上記演出装置を斜め後方から見た展開斜視図である。
【図１０】上記変動表示装置が取り付けられた遊技盤を示す断面図である。
【符号の説明】
１００    パチンコ遊技機（弾球遊技機）
１        遊技盤
１ａ      遊技領域
４        変動表示装置
４ａ      表示装置本体
４ｇ      表示画面（表示部）
２０      前面構成部材
２０ａ    凹室
３０ａ    表示用開口部
４０      演出装置
４１      可動演出部材
４２      背面部材
４３      基板（電気的発光部材を搭載した基板）
４３ａ    開口部
４４      ソレノイド（電気的駆動源）
４５      カバー部材
４５ｃ    カバー部材開口部
４６      リンク機構（動力変換手段）
５１      ＬＥＤ（電気的発光部材，第２の電気的発光部材）
５１ａ    立設部
５１ｂ    連結壁
５１ｃ    取付板部材
５２      ランプ（電気的発光部材，第１の電気的発光部材）
５３      伝動ピン（動力伝達部材）
【図１】
2004261426.tif 000003
【図２】
2004261426.tif 000004
【図３】
2004261426.tif 000005
【図４】
2004261426.tif 000006
【図５】
2004261426.tif 000007
【図６】
2004261426.tif 000008
【図７】
2004261426.tif 000009
【図８】
2004261426.tif 000010
【図９】
2004261426.tif 000011
【図１０】
2004261426.tif 000012